(57)【特許請求の範囲】
【請求項１】
アクセス・ポイントにおけるワイヤレス通信のための方法であって、
前記アクセス・ポイントからデータを受信すべき複数の局を識別することと、
前記識別された複数の局に前記データを送信するためにダウンリンク・フレームを生成することと、前記ダウンリンク・フレームは、前記識別された複数の局に向けられる第１のシグナリング・フィールドおよび第２のシグナリング・フィールドを備え、前記第１のシグナリング・フィールドは、第１のセグメントおよび第２のセグメントを備え、前記第１のセグメントは、前記識別された複数の局の各々に共通の情報を備え、前記第２のセグメントは、前記識別された複数の局のうちの少なくとも１つの局に関する情報ブロックを備え、前記少なくとも１つの局に関する前記情報ブロックは、前記第１のセグメントとは別個にエンコードされ、前記第２のシグナリング・フィールドは、帯域幅情報を含む情報ブロックを備え、前記帯域幅情報を含む前記情報ブロックは、前記第１のシグナリング・フィールドの情報とは別個にエンコードされる、
前記識別された複数の局に前記ダウンリンク・フレームを送信することと、
を備える、方法。
【請求項２】
前記識別された複数の局の各々に共通の前記情報を複製することと、
共有無線周波数スペクトル帯域の複数のサブバンドのうちの少なくとも２つのサブバンドにおいて前記複製された情報を送信することと、
をさらに備える、請求項１に記載の方法。
【請求項３】
共有無線周波数スペクトル帯域の複数のサブバンドのうちの１つのサブバンドにおいて前記別個にエンコードされた情報ブロックを含む前記ダウンリンク・フレームを送信することをさらに備える、請求項１に記載の方法。
【請求項４】
前記ダウンリンク・フレームは、データ・フィールドを備え、前記方法は、
前記データ・フィールドにおいて前記識別された複数の局の各々に関するデータを含む前記ダウンリンク・フレームを送信することをさらに備え、ここにおいて、前記別個にエンコードされた情報ブロックおよび前記データは、共有無線周波数スペクトル帯域の複数のサブバンドのうちの同じサブバンドにおいて送信される、請求項１に記載の方法。
【請求項５】
前記第１のシグナリング・フィールドは、ワイヤレス・ローカル・エリア・ネットワーク（ＷＬＡＮ）シグナリング・フィールドである、請求項１に記載の方法。
【請求項６】
前記第２のシグナリング・フィールドおよび前記第１のシグナリング・フィールドの前記第１のセグメントの各々において同じ遅延拡散保護メカニズムを使用することをさらに備える、請求項１に記載の方法。
【請求項７】
前記同じ遅延拡散保護メカニズムは、時間領域反復、または周波数領域反復、またはそれらの組み合わせを備える、請求項６に記載の方法。
【請求項８】
前記第１のシグナリング・フィールドの前記第１のセグメントにおいて遅延拡散保護メカニズムの使用を、前記ダウンリンク・フレームのレガシ・シグナリング情報において、指示することをさらに備える、請求項１に記載の方法。
【請求項９】
前記第１のシグナリング・フィールドの１つの直交周波数分割多重（ＯＦＤＭ）シンボル内で前記別個にエンコードされた情報ブロックを送信することをさらに備える、請求項１に記載の方法。
【請求項１０】
共有無線周波数スペクトル帯域の複数のサブバンドのうちの１つのサブバンドにおいて前記別個にエンコードされた情報ブロックを送信することをさらに備える、請求項９に記載の方法。
【請求項１１】
前記複数のサブバンドのうちの各サブバンドは、２０メガヘルツ（ＭＨｚ）の帯域幅を有する、請求項１０に記載の方法。
【請求項１２】
前記第２のセグメントは、前記識別された複数の局のうちの少なくとも１つの他の局に関する追加の別個にエンコードされた情報ブロックを備え、前記方法は、
前記１つのＯＦＤＭシンボルにおいて、前記１つのサブバンドにおいて前記追加の別個にエンコードされた情報ブロックを送信することをさらに備える、請求項１０に記載の方法。
【請求項１３】
前記少なくとも１つの局に関する前記別個にエンコードされた情報ブロックを第１の直交周波数分割多重（ＯＦＤＭ）シンボルにマッピングすることと、
第２の局に関する第２の別個にエンコードされた情報ブロックを第２のＯＦＤＭシンボルにマッピングすることと、前記第２のＯＦＤＭシンボルは、前記第１のＯＦＤＭシンボルに関連付けされた変調および符号化スキーム（ＭＣＳ）とは異なるＭＣＳに関連付けされる、
をさらに備える、請求項１に記載の方法。
【請求項１４】
共有無線周波数スペクトル帯域の複数のサブバンドのうちの１つのサブバンドにおいて前記別個にエンコードされた情報ブロックを、および前記複数のサブバンドのうちの別のサブバンドにおいて前記第２の別個にエンコードされた情報ブロックを送信することをさらに備える、請求項１３に記載の方法。
【請求項１５】
前記別個にエンコードされた情報ブロックは、第１のサブバンドにおいて送信され、前記方法は、
第３の局に関する第３の別個にエンコードされた情報ブロックを、前記第１のＯＦＤＭシンボルおよび前記複数のサブバンドのうちの前記第１のサブバンドにマッピングすることをさらに備える、請求項１３に記載の方法。
【請求項１６】
前記第１のシグナリング・フィールドの前記第２のセグメントにおいて前記別個にエンコードされた情報ブロックを保護するために遅延拡散保護メカニズムを使用することをさらに備える、請求項１に記載の方法。
【請求項１７】
前記遅延拡散保護メカニズムは、周波数領域反復、または延長されたガード・インターバル（ＧＩ）、またはそれらの組み合わせを備える、請求項１６に記載の方法。
【請求項１８】
前記帯域幅情報は、前記少なくとも１つの局を対象とした前記第１のシグナリング・フィールドにおける前記別個にエンコードされた情報ブロックを識別するために前記識別された複数の局のうちの前記少なくとも１つの局によって使用可能である、請求項１に記載の方法。
【請求項１９】
前記第２のシグナリング・フィールドは、前記識別された複数の局以外の局によって使用可能である情報を備える、請求項１に記載の方法。
【請求項２０】
前記別個にエンコードされた情報ブロックを復号するために前記識別された複数の局のうちの前記少なくとも１つの局によって使用可能である情報を、前記第１のシグナリング・フィールドの前記第１のセグメントにおいて送信することをさらに備える、請求項１に記載の方法。
【請求項２１】
前記第１のシグナリング・フィールドの前記第１のセグメント、または前記第１のシグナリング・フィールドの前記第２のセグメント、または前記ダウンリンク・フレームの前記第２のシグナリング・フィールド、またはそれらの組み合わせにおいてテール・バイティング畳み込み符号化を使用することをさらに備える、請求項１に記載の方法。
【請求項２２】
アクセス・ポイントにおけるワイヤレス通信のための装置であって、
前記アクセス・ポイントからデータを受信すべき複数の局を識別するための手段と、
前記識別された複数の局に前記データを送信するためにダウンリンク・フレームを生成するための手段と、前記ダウンリンク・フレームは、前記識別された複数の局に向けられる第１のシグナリング・フィールドおよび第２のシグナリング・フィールドを備え、前記第１のシグナリング・フィールドは、第１のセグメントおよび第２のセグメントを備え、前記第１のセグメントは、前記識別された複数の局の各々に共通の情報を備え、前記第２のセグメントは、前記識別された複数の局のうちの少なくとも１つの局に関する情報ブロックを備え、前記少なくとも１つの局に関する前記情報ブロックは、前記第１のセグメントとは別個にエンコードされ、前記第２のシグナリング・フィールドは、帯域幅情報を含む情報ブロックを備え、前記帯域幅情報を含む前記情報ブロックは、前記第１のシグナリング・フィールドの情報とは別個にエンコードされる、
前記識別された複数の局に前記ダウンリンク・フレームを送信するための手段と、
備える、装置。
【請求項２３】
前記第１のシグナリング・フィールドは、ワイヤレス・ローカル・エリア・ネットワーク（ＷＬＡＮ）シグナリング・フィールドである、請求項２２に記載の装置。
【請求項２４】
前記識別された複数の局の各々に共通の前記情報を複製するための手段と、
共有無線周波数スペクトル帯域の複数のサブバンドのうちの少なくとも２つのサブバンドにおいて前記複製された情報を送信するための手段と、
をさらに備える、請求項２２に記載の装置。
【請求項２５】
共有無線周波数スペクトル帯域の１つのサブバンドにおいて前記別個にエンコードされた情報ブロックを含む前記ダウンリンク・フレームを送信するための手段をさらに備える、請求項２２に記載の装置。
【請求項２６】
前記ダウンリンク・フレームは、データ・フィールドを備え、前記装置は、
前記データ・フィールドにおいて前記識別された複数の局の各々に関するデータを含む前記ダウンリンク・フレームを送信するための手段をさらに備え、ここにおいて、前記別個にエンコードされた情報ブロックおよび前記データは、共有無線周波数スペクトル帯域の複数のサブバンドのうちの同じサブバンドにおいて送信される、請求項２２に記載の装置。
【請求項２７】
前記第２のシグナリング・フィールドおよび前記第１のシグナリング・フィールドの前記第１のセグメントの各々において同じ遅延拡散保護メカニズムを使用するための手段をさらに備える、請求項２２に記載の装置。
【請求項２８】
前記同じ遅延拡散保護メカニズムは、時間領域反復、または周波数領域反復、またはそれらの組み合わせを備える、請求項２７に記載の装置。
【請求項２９】
前記第１のシグナリング・フィールドの前記第１のセグメントにおける遅延拡散保護メカニズムの使用を、前記ダウンリンク・フレームのレガシ・シグナリング情報において、指示するための手段をさらに備える、請求項２２に記載の装置。
【請求項３０】
前記第１のシグナリング・フィールドの１つの直交周波数分割多重（ＯＦＤＭ）シンボル内で前記別個にエンコードされた情報ブロックを送信するための手段をさらに備える、請求項２２に記載の装置。
【請求項３１】
共有無線周波数スペクトル帯域の複数のサブバンドのうちの少なくとも１つのサブバンドにおいて前記別個にエンコードされた情報ブロックを送信するための手段をさらに備える、請求項３０に記載の装置。
【請求項３２】
前記複数のサブバンドのうちの各サブバンドは、２０メガヘルツ（ＭＨｚ）の帯域幅を有する、請求項３１に記載の装置。
【請求項３３】
前記第２のセグメントは、前記識別された複数の局のうちの少なくとも１つの他の局に関する追加の別個にエンコードされた情報ブロックを備え、前記装置は、
前記１つのＯＦＤＭシンボルにおいて、前記１つのサブバンドにおいて前記追加の別個にエンコードされた情報ブロックを送信するための手段をさらに備える、請求項３１に記載の装置。
【請求項３４】
前記少なくとも１つの局に関する前記別個にエンコードされた情報ブロックを第１の直交周波数分割多重（ＯＦＤＭ）シンボルにマッピングするための手段と、
第２の局に関する第２の別個にエンコードされた情報ブロックを第２のＯＦＤＭシンボルにマッピングするための手段と、前記第２のＯＦＤＭシンボルは、前記第１のＯＦＤＭシンボルに関連付けされた変調および符号化スキーム（ＭＣＳ）とは異なるＭＣＳに関連付けされる、
をさらに備える、請求項２２に記載の装置。
【請求項３５】
共有無線周波数スペクトル帯域の複数のサブバンドのうちの１つのサブバンドにおいて前記別個にエンコードされた情報ブロックを、および前記複数のサブバンドのうちの別のサブバンドにおいて前記第２の別個にエンコードされた情報ブロックを送信するための手段をさらに備える、請求項３４に記載の装置。
【請求項３６】
前記別個にエンコードされた情報ブロックは、第１のサブバンドにおいて送信され、前記装置は、
第３の局に関する第３の別個にエンコードされた情報ブロックを前記第１のＯＦＤＭシンボルおよび複数のサブバンドのうちの前記第１のサブバンドにマッピングするための手段をさらに備える、請求項３４に記載の装置。
【請求項３７】
前記第１のシグナリング・フィールドの前記第２のセグメントにおいて前記別個にエンコードされた情報ブロックを保護するために遅延拡散保護メカニズムを使用するための手段をさらに備える、請求項２２に記載の装置。
【請求項３８】
前記遅延拡散保護メカニズムは、周波数領域反復、または延長されたガード・インターバル（ＧＩ）、またはそれらの組み合わせを備える、請求項３７に記載の装置。
【請求項３９】
前記帯域幅情報は、前記少なくとも１つの局を対象とした前記第１のシグナリング・フィールドにおける前記別個にエンコードされた情報ブロックを識別するために前記識別された複数の局のうちの前記少なくとも１つの局によって使用可能である、請求項２２に記載の装置。
【請求項４０】
前記第２のシグナリング・フィールドは、前記識別された複数の局以外の局によって使用可能である情報を備える、請求項２２に記載の装置。
【請求項４１】
前記別個にエンコードされた情報ブロックを復号するために前記識別された複数の局のうちの前記少なくとも１つの局によって使用可能である情報を、前記第１のシグナリング・フィールドの前記第１のセグメントにおいて、送信するための手段をさらに備える、請求項２２に記載の装置。
【請求項４２】
前記第１のシグナリング・フィールドの前記第１のセグメント、または前記第１のシグナリング・フィールドの前記第２のセグメント、または前記ダウンリンク・フレームの前記第２のシグナリング・フィールド、またはそれらの組み合わせにおいてテール・バイティング畳み込み符号化を使用するための手段をさらに備える、請求項２２に記載の装置。
【請求項４３】
アクセス・ポイントにおけるワイヤレス通信のための装置であって、
プロセッサと、前記プロセッサに通信可能に接続されたメモリと、
を備え、前記メモリは、前記プロセッサによって実行されると、
送信マネージャに、前記アクセス・ポイントからデータを受信すべき複数の局を識別させ、
ダウンリンク・フレーム・ジェネレータに、前記識別された複数の局に前記データを送信するためにダウンリンク・フレームを生成させ、前記ダウンリンク・フレームは、前記識別された複数の局に向けられる第１のシグナリング・フィールドおよび第２のシグナリング・フィールドを備え、前記第１のシグナリング・フィールドは、第１のセグメントおよび第２のセグメントを備え、前記第１のセグメントは、前記識別された複数の局の各々に共通の情報を備え、前記第２のセグメントは、前記識別された複数の局のうちの少なくとも１つの局に関する情報ブロックを備え、前記少なくとも１つの局に関する前記情報ブロックは、前記第１のセグメントとは別個にエンコードされ、前記第２のシグナリング・フィールドは、帯域幅情報を含む情報ブロックを備え、前記帯域幅情報を含む前記情報ブロックは、前記第１のシグナリング・フィールドの情報とは別個にエンコードされる、
ダウンリンク・フレーム送信機に、前記識別された複数の局に前記ダウンリンク・フレームを送信させる
ためのコンピュータ可読コードを備える、装置。
【請求項４４】
前記第１のシグナリング・フィールドは、ワイヤレス・ローカル・エリア・ネットワーク（ＷＬＡＮ）シグナリング・フィールドである、請求項４３に記載の装置。
【請求項４５】
前記ダウンリンク・フレーム・ジェネレータは、前記識別された複数の局の各々に共通の前記情報を複製し、前記ダウンリンク・フレーム送信機は、共有無線周波数スペクトル帯域の複数のサブバンドのうちの少なくとも２つのサブバンドにおいて前記複製された情報を送信する、請求項４３に記載の装置。
【請求項４６】
前記ダウンリンク・フレーム送信機は、共有無線周波数スペクトル帯域の複数のサブバンドのうちの１つのサブバンドにおいて前記別個にエンコードされた情報ブロックを含む前記ダウンリンク・フレームを送信する、請求項４３に記載の装置。
【請求項４７】
前記ダウンリンク・フレームは、データ・フィールドを備え、ここにおいて、前記ダウンリンク・フレーム送信機は、前記データ・フィールドにおいて前記識別された複数の局の各々に関するデータを含む前記ダウンリンク・フレームを送信し、ここにおいて、前記別個にエンコードされた情報ブロックおよび前記データは、共有無線周波数スペクトル帯域の複数のサブバンドのうちの同じサブバンドにおいて送信される、請求項４３に記載の装置。
【請求項４８】
前記ダウンリンク・フレーム送信機は、前記第１のシグナリング・フィールドの１つの直交周波数分割多重（ＯＦＤＭ）シンボル内で前記別個にエンコードされた情報ブロックを送信する、請求項４３に記載の装置。
【請求項４９】
前記ダウンリンク・フレーム送信機は、共有無線周波数スペクトル帯域の複数のサブバンドのうちの１つのサブバンドにおいて前記別個にエンコードされた情報ブロックの各々を送信する、請求項４８に記載の装置。
【請求項５０】
前記第２のセグメントは、前記識別された複数の局のうちの少なくとも１つの他の局に関する追加の別個にエンコードされた情報ブロックを備え、前記ダウンリンク・フレーム送信機は、前記１つのＯＦＤＭシンボルにおいて前記追加の別個にエンコードされた情報ブロックを送信する、請求項４９に記載の装置。
【請求項５１】
前記ダウンリンク・フレーム送信機は、前記少なくとも１つの局に関する前記別個にエンコードされた情報ブロックを第１の直交周波数分割多重（ＯＦＤＭ）シンボルにマッピングし、第２の局に関する第２の別個にエンコードされた情報ブロックを第２のＯＦＤＭシンボルにマッピングし、前記第２のＯＦＤＭシンボルは、前記第１のＯＦＤＭシンボルに関連付けされた変調および符号化スキーム（ＭＣＳ）とは異なるＭＣＳに関連付けされる、請求項４３に記載の装置。
【請求項５２】
前記ダウンリンク・フレーム送信機は、前記識別された複数の局以外の局によって使用可能である情報を、前記ダウンリンク・フレームの前記第２のシグナリング・フィールドにおいて、送信する、請求項４３に記載の装置。
【請求項５３】
アクセス・ポイントにおけるワイヤレス通信のためのコンピュータ実行可能コードを記憶する非一時的コンピュータ可読記憶媒体であって、前記コンピュータ実行可能コードは、
前記アクセス・ポイントからデータを受信すべき複数の局を識別することと、
前記識別された複数の局に前記データを送信するためにダウンリンク・フレームを生成することと、前記ダウンリンク・フレームは、前記識別された複数の局に向けられる第１のシグナリング・フィールドおよび第２のシグナリング・フィールドを備え、前記第１のシグナリング・フィールドは、第１のセグメントおよび第２のセグメントを備え、前記第１のセグメントは、前記識別された複数の局の各々に共通の情報を備え、前記第２のセグメントは、前記識別された複数の局のうちの少なくとも１つの局に関する情報ブロックを備え、前記少なくとも１つの局に関する前記情報ブロックは、前記第１のセグメントとは別個にエンコードされ、前記第２のシグナリング・フィールドは、帯域幅情報を含む情報ブロックを備え、前記帯域幅情報を含む前記情報ブロックは、前記第１のシグナリング・フィールドの情報とは別個にエンコードされる、
前記識別された複数の局に前記ダウンリンク・フレームを送信することと、
を行うようにプロセッサによって実行可能である、非一時的コンピュータ可読記憶媒体。
【請求項５４】
前記ダウンリンク・フレームを送信するように前記プロセッサによって実行可能な前記コンピュータ実行可能コードは、共有無線周波数スペクトル帯域の複数のサブバンドのうちの１つのサブバンドにおいて前記別個にエンコードされた情報ブロックを含む前記ダウンリンク・フレームを送信するように前記プロセッサによって実行可能なコードを備える、請求項５３に記載の非一時的コンピュータ可読記憶媒体。
【請求項５５】
局におけるワイヤレス通信のための方法であって、
共有無線周波数スペクトル帯域においてダウンリンク・フレームを受信することと、前記ダウンリンク・フレームは、少なくとも第１のシグナリング・フィールドおよび第２のシグナリング・フィールドを備え、前記第２のシグナリング・フィールドは、複数の局に共通の情報を有する第１のセグメントおよび前記複数の局のうちの少なくとも１つの局に関する情報ブロックを有する第２のセグメントを備え、前記少なくとも１つの局に関する前記情報ブロックは、前記第１のセグメントとは別個にエンコードされ、前記第１のシグナリング・フィールドは、帯域幅情報を含む情報ブロックを備え、前記帯域幅情報を含む前記情報ブロックは、前記第２のシグナリング・フィールドの情報とは別個にエンコードされる、前記少なくとも１つの局は、前記局を含む、
前記第２のシグナリング・フィールドの前記第１のセグメントにおいて受信される情報を使用して前記局に関する前記別個にエンコードされた情報ブロックを復号することと、を備える、方法。
【請求項５６】
前記第１のシグナリング・フィールドにおいて受信される情報を使用して前記局に関する前記別個にエンコードされた情報ブロックを復号することをさらに備える、請求項５５に記載の方法。
【請求項５７】
共有無線周波数スペクトル帯域の複数のサブバンドのうちの少なくとも２つのサブバンドにおいて前記複数の局に共通の情報を受信することをさらに備える、請求項５５に記載の方法。
【請求項５８】
共有無線周波数スペクトル帯域の複数のサブバンドのうちの１つのサブバンドにおいて前記別個にエンコードされた情報ブロックを含む前記ダウンリンク・フレームを受信することをさらに備える、請求項５５に記載の方法。
【請求項５９】
局におけるワイヤレス通信のための装置であって、
共有無線周波数スペクトル帯域においてダウンリンク・フレームを受信するための手段と、前記ダウンリンク・フレームは、少なくとも第１のシグナリング・フィールドおよび第２のシグナリング・フィールドを備え、前記第２のシグナリング・フィールドは、複数の局に共通の情報を有する第１のセグメントおよび前記複数の局のうちの少なくとも１つの局に関する情報ブロックを有する第２のセグメントを備え、前記情報ブロックは、前記第１のセグメントとは別個にエンコードされ、前記第１のシグナリング・フィールドは、帯域幅情報を含む情報ブロックを備え、前記帯域幅情報を含む前記情報ブロックは、前記第２のシグナリング・フィールドの情報とは別個にエンコードされる、前記少なくとも１つの局は、前記局を含む、
前記第２のシグナリング・フィールドの前記第１のセグメントにおいて受信される情報を使用して前記局に関する前記別個にエンコードされた情報ブロックを復号するための手段と、
を備える、装置。
【請求項６０】
前記第１のシグナリング・フィールドにおいて受信される情報を使用して前記局に関する前記別個にエンコードされた情報ブロックを復号するための手段をさらに備える、請求項５９に記載の装置。
【請求項６１】
受信するための前記手段は、共有無線周波数スペクトル帯域の複数のサブバンドのうちの少なくとも２つのサブバンドにおいて前記複数の局に共通の情報を受信するための手段を備える、請求項５９に記載の装置。
【請求項６２】
ダウンリンク・フレームを受信するための前記手段は、共有無線周波数スペクトル帯域の複数のサブバンドのうちの１つのサブバンドにおいて前記別個にエンコードされた情報ブロックを含む前記ダウンリンク・フレームを受信するための手段を備える、請求項５９に記載の装置。
【請求項６３】
局におけるワイヤレス通信のための装置であって、
プロセッサと、前記プロセッサに通信可能に接続されたメモリと、
を備え、前記メモリは、前記プロセッサによって実行されると、
ダウンリンク・フレーム・デコーダに、共有無線周波数スペクトル帯域においてダウンリンク・フレームを受信させ、前記ダウンリンク・フレームは、少なくとも第１のワイヤレス・ローカル・エリア・ネットワーク（ＷＬＡＮ）シグナリング・フィールドおよび第２のＷＬＡＮシグナリング・フィールドを備え、前記第１のＷＬＡＮシグナリング・フィールドおよび前記第２のＷＬＡＮシグナリング・フィールドは、別個にエンコードされ、前記第２のＷＬＡＮシグナリング・フィールドは、複数の局に共通の情報を有する第１のセグメントおよび前記複数の局のうちの少なくとも１つの局に関する情報ブロックを有する第２のセグメントを備え、前記情報ブロックは、前記第１のセグメントとは別個にエンコードされ、前記第１のＷＬＡＮシグナリング・フィールドは、帯域幅情報を含む情報ブロックを備え、前記帯域幅情報を含む前記情報ブロックは、前記第２のＷＬＡＮシグナリング・フィールドの情報とは別個にエンコードされる、前記少なくとも１つの局は、前記局を含む、
前記ダウンリンク・フレーム・デコーダに、前記第２のＷＬＡＮシグナリング・フィールドの前記第１のセグメントにおいて受信される情報を使用して前記局に関する前記別個にエンコードされた情報ブロックを復号させる
ためのコンピュータ可読コードを備える、装置。
【請求項６４】
前記ダウンリンク・フレーム・デコーダは、前記第１のＷＬＡＮシグナリング・フィールドにおいて受信される情報を使用して前記局に関する前記別個にエンコードされた情報ブロックをさらに復号する、請求項６３に記載の装置。
【請求項６５】
前記ダウンリンク・フレーム・デコーダはさらに、共有無線周波数スペクトル帯域の複数のサブバンドのうちの少なくとも２つのサブバンドにおいて前記複数の局に共通の情報を受信することとなる、請求項６３に記載の装置。
【請求項６６】
前記ダウンリンク・フレーム・デコーダはさらに、共有無線周波数スペクトル帯域の複数のサブバンドのうちの１つのサブバンドにおいて前記別個にエンコードされた情報ブロックを含む前記ダウンリンク・フレームを受信することとなる、請求項６３に記載の装置。
【請求項６７】
局におけるワイヤレス通信のためのコンピュータ実行可能コードを記憶する非一時的コンピュータ可読記憶媒体であって、前記コンピュータ実行可能コードは、
共有無線周波数スペクトル帯域においてダウンリンク・フレームを受信することと、前記ダウンリンク・フレームは、少なくとも第１のシグナリング・フィールドおよび第２のシグナリング・フィールドを備え、前記第１のシグナリング・フィールドおよび前記第２のシグナリング・フィールドは、別個にエンコードされ、前記第２のシグナリング・フィールドは、複数の局に共通の情報を有する第１のセグメントおよび前記複数の局のうちの少なくとも１つの局に関する情報ブロックを有する第２のセグメントを備え、前記情報ブロックは、前記第１のセグメントとは別個にエンコードされ、前記第１のシグナリング・フィールドは、帯域幅情報を含む情報ブロックを備え、前記帯域幅情報を含む前記情報ブロックは、前記第２のシグナリング・フィールドの情報から別個にエンコードされる、前記少なくとも１つの局は、前記局を含む、
前記第２のシグナリング・フィールドの前記第１のセグメントにおいて受信される情報を使用して前記局に関する前記別個にエンコードされた情報ブロックを復号することと、を行うようにプロセッサによって実行可能である、非一時的コンピュータ可読記憶媒体。
【請求項６８】
ダウンリンク・フレームを受信するように前記プロセッサによって実行可能な前記コンピュータ実行可能コードは、共有無線周波数スペクトル帯域の複数のサブバンドのうちの少なくとも２つのサブバンドにおいて前記複数の局に共通の情報を受信するように前記プロセッサによって実行可能なコードを備える、請求項６７に記載の非一時的コンピュータ可読記憶媒体。
【請求項６９】
ダウンリンク・フレームを受信するように前記プロセッサによって実行可能な前記コンピュータ実行可能コードは、共有無線周波数スペクトル帯域の複数のサブバンドのうちの１つのサブバンドにおいて前記別個にエンコードされた情報ブロックを含む前記ダウンリンク・フレームを受信するように前記プロセッサによって実行可能なコードを備える、請求項６７に記載の非一時的コンピュータ可読記憶媒体。
【請求項７０】
前記コンピュータ実行可能コードは、前記識別された複数の局の各々に共通の前記情報を複製することと、共有無線周波数スペクトル帯域の複数のサブバンドのうちの少なくとも２つのサブバンドにおいて前記複製された情報を送信することとを行うように前記プロセッサによってさらに実行可能である、請求項５３に記載の非一時的コンピュータ可読記憶媒体。
【発明の詳細な説明】
【関連出願の相互参照】
【０００１】
[0001]  本願は、２０１５年４月２８日に出願された「Techniques for Transmitting and/or Receiving High Efficiency Wireless Local Area Network Information」と題されたVermani他による米国仮特許出願第６２／１５３，８６１号、および２０１６年４月２６日に出願された「Techniques for Transmitting and/or Receiving High Efficiency Wireless Local Area Network Information」と題されたVermani他による米国特許出願第１５／１３８，９７２号の優先権を主張し、それらの各々は、本願の譲受人に譲渡される。
【技術分野】
【０００２】
[0002]  本開示は、例えば、ワイヤレス通信システムに関し、より具体的には、高効率ワイヤレス・ローカル・エリア・ネットワーク（ＷＬＡＮ)情報を送信および／または受信するための技術に関する。
【背景技術】
【０００３】
[0003]  ワイヤレス通信システムは、音声、ビデオ、パケット・データ、メッセージング、ブロードキャストなどのようなさまざまなタイプの通信コンテンツを提供するために広く展開されている。これらのシステムは、利用可能なシステム・リソース（例えば、時間、周波数、および電力）を共有することによって複数のユーザとの通信をサポートすることが可能である多元接続システムであり得る。ワイヤレス・ネットワーク（例えば、ＩＥＥＥ８０２．１１規格ファミリーの少なくとも１つに従ったＷｉ−Ｆｉネットワークのような、ＷＬＡＮ）は、少なくとも１つの局（ＳＴＡ）またはモバイル・デバイスと通信し得るアクセス・ポイント（ＡＰ）を含み得る。ＡＰは、ネットワーク、例えばインターネットに接続され得、局またはモバイル・デバイスがネットワークを介して通信すること（および／またはＡＰに接続された他のデバイスと通信すること）を可能にし得る。
【０００４】
[0004]  ワイヤレス・ネットワークにおいて使用されるプロトコルまたは規格は、フレーム構造（例えば、パケット構造）を規定し得、それは、そのフレーム構造を使用して送信され得る情報を含む。いくつかの場合では、別個の、しかし同様のフレーム構造が、（ＡＰから局へデータおよび／または制御信号を送信するために使用される）ダウンリンク・フレーム、および、（局からＡＰへデータおよび／または制御信号を送信するために使用される）アップリンク・フレームのために規定され得る。
【発明の概要】
【０００５】
[0005]  説明される技術は、概して、高効率ＷＬＡＮ情報を送信および／または受信することに関する。ＩＥＥＥ８０２．１１規格ファミリーの新しいバリアントは、ＩＥＥＥ８０２．１１ａｘ規格である。ＩＥＥＥ８０２．１１ａｘ規格は、複数の高効率ＷＬＡＮシグナリング・フィールドを含むフレームを提供する。説明される技術は、ＩＥＥＥ８０２．１１ａｘ通信に良好な性能、効率および／またはフレキシビリティを提供するために生成および／または送信され得る高効率のＷＬＡＮシグナリング・フィールドを説明する。説明される技術はまた、他のタイプのフレームに含まれる高効率のシグナリング・フィールドを生成および／または送信することに適用され得る。
【０００６】
[0006]  例示的な例の第１のセットにおいて、アクセス・ポイントにおけるワイヤレス通信のための方法が説明される。１つの構成では、方法は、アクセス・ポイントからデータを受信すべき複数の局（a number of stations）を識別すること、および、識別された複数の局にデータを送信するためにダウンリンク・フレームを生成することを含み得る。ダウンリンク・フレームは、識別された複数の局に向けられる第１のシグナリング・フィールドを含み得る。第１のシグナリング・フィールドは、第１のセグメントおよび第２のセグメントを含み得る。第１のセグメントは、識別された複数の局の各々に共通の情報を含み得る。第２のセグメントは、少なくとも１つの情報ブロックを含み得る。第１のシグナリング・フィールドは、ローカル・ワイヤレス・エリア・ネットワーク（ＷＬＡＮ）シグナリング・フィールドであり得る。各情報ブロックは、識別された複数の局の各々のために別個にエンコードされ得る。方法はまた、識別された複数の局にダウンリンク・フレームを送信することを含み得る。
【０００７】
[0007]  いくつかの例では、方法は、識別された複数の局の各々に共通の情報を複製（duplicating）すること、および、共有無線周波数スペクトル帯域の複数のサブバンドの各々において複製された情報を送信することを含み得る。いくつかの例では、送信（例えば、８０メガヘルツの送信）に関しては、識別された複数の局の各々に共通の情報が、少なくとも一度、複製され得る。いくつかの例では、方法は、例えば、４０ＭＨｚの送信のための、共有無線周波数スペクトル帯域の１つのサブバンドにおいて別個にエンコードされた情報ブロックの各々を送信することを含み得る。他の例、例えば８０ＭＨｚの送信では、別個にエンコードされた情報ブロックは、共有無線周波数スペクトル帯域の２つのサブバンドにおいて送信され得る。他の例としての周波数スペクトル帯域では、別個にエンコードされた情報ブロックは、４つのサブバンドにおいて送信され得、各サブバンドは２０ＭＨｚに等しい。方法のいくつかの例では、ダウンリンク・フレームは、データ・フィールドを含み得、方法は、データ・フィールドにおいて識別された複数の局の各々にデータを送信することを含み得、ここにおいて、別個にエンコードされた情報ブロックおよびデータは、共有無線周波数スペクトル帯域の同じサブバンドにおいて送信される。方法のいくつかの例では、ダウンリンク・フレームはさらに、第１のシグナリング・フィールドから別個にエンコードされる第２のシグナリング・フィールドを含み得、方法は、第２のシグナリング・フィールドおよび第１のシグナリング・フィールドの第１のセグメントの各々において同じ遅延拡散保護メカニズムを使用することを含み得る。いくつかの例では、第１および／または第２のシグナリング・フィールドは、ＷＬＡＮシグナリング・フィールドであり得る。いくつかの例では、同じ遅延拡散保護メカニズムは、時間領域反復（time domain repetition）、または周波数領域反復（frequency domain repetition）、またはそれらの組み合わせを含み得る。いくつかの例では、方法は、第１のシグナリング・フィールドの第１のセグメントにおける遅延拡散保護メカニズムの使用を、ダウンリンク・フレームのレガシ・シグナリング情報において、指示することを含み得る。
【０００８】
[0008]  いくつかの例では、方法は、第１のシグナリング・フィールドの１つの直交周波数分割多重（ＯＦＤＭ）シンボル内で別個にエンコードされた情報ブロックの各々を送信することを含み得る。これらの例のいくつかでは、方法は、共有無線周波数スペクトル帯域の１つのサブバンドにおいて別個にエンコードされた情報ブロックの各々を送信することを含み得る。いくつかの例では、別個にエンコードされた情報ブロックが送信される各サブバンドは、２０メガヘルツ（ＭＨｚ）の帯域幅を有し得る。いくつかの例では、方法は、少なくとも１つのＯＦＤＭシンボルにおいて少なくとも２つの別個にエンコードされた情報ブロックを送信することを含み得る。いくつかの例では、第１のＷＬＡＮシグナリング・フィールドは、第１の変調および符号化スキーム（ＭＣＳ）に関連付けされた第１のＯＦＤＭシンボルと、第１のＭＣＳとは異なる第２のＭＣＳに関連付けされた第２のＯＦＤＭシンボルとを含み得る。これらの例では、方法は、第１の局に関する第１の別個にエンコードされた情報ブロックを第１のＯＦＤＭシンボルにマッピングすることと、第２の局に関する第２の別個にエンコードされた情報ブロックを第２のＯＦＤＭシンボルにマッピングすることとを含み得る。これらの例のいくつかでは、方法は、共有無線周波数スペクトル帯域の１つのサブバンドにおいて別個にエンコードされた情報ブロックの各々を送信することを含み得る。いくつかの例では、第１の別個にエンコードされた情報ブロックは、第１のサブバンドにおいて送信され得、方法は、第３の局に関して第３の別個にエンコードされた情報ブロックを第１のＯＦＤＭシンボルおよび第１のサブバンドにマッピングすることを含み得る。
【０００９】
[0009]  いくつかの例では、方法は、第１のシグナリング・フィールドの第２のセグメントにおいて各別個にエンコードされた情報ブロックを保護するために遅延拡散保護メカニズムを使用することを含み得る。いくつかの例では、遅延拡散保護メカニズムは、周波数領域反復、または延長されたガード・インターバル（ＧＩ）、またはそれらの組み合わせを含み得る。いくつかの例では、方法は、局を対象とした第１のシグナリング・フィールドにおいて別個にエンコードされた情報ブロックを識別するためにその局によって使用される帯域幅情報を、第２のシグナリング・フィールドにおいて、シグナリングすることを含み得る。いくつかの例では、方法は、識別された複数の局以外の局によって使用可能である情報を、第２のシグナリング・フィールドにおいて、送信することを含み得る。いくつかの例では、方法は、別個にエンコードされた情報ブロックを復号するために識別された複数の局によって使用可能である情報を、第１のシグナリング・フィールドの第１のセグメントにおいて、送信することを含み得る。いくつかの例では、方法は、第１のシグナリング・フィールドの第１のセグメント、または第１のシグナリング・フィールドの第２のセグメント、または第２のシグナリング・フィールド、またはそれらの組み合わせにおいてテール・バイティング畳み込み符号化（tail-biting convolutional coding）を使用することを含み得る。
【００１０】
[0010]  例示的な例の第２のセットにおいて、アクセス・ポイントにおけるワイヤレス通信のための装置が説明される。１つの構成では、装置は、アクセス・ポイントからデータを受信すべき複数の局を識別するための手段、および、識別された複数の局にデータを送信するためにダウンリンク・フレームを生成するための手段を含み得る。ダウンリンク・フレームは、識別された複数の局に向けられる第１のシグナリング・フィールドを含み得る。第１のシグナリング・フィールドは、第１のセグメントおよび第２のセグメントを含み得る。いくつかの例では、第１のシグナリング・フィールドは、ＷＬＡＮシグナリング・フィールドであり得る。第１のセグメントは、識別された複数の局の各々に共通の情報を含み得る。第２のセグメントは、少なくとも１つの情報ブロックを含み得る。各情報ブロックは、識別された複数の局の各々に関して別個にエンコードされ得る。装置はまた、識別された複数の局にダウンリンク・フレームを送信するための手段を含み得る。いくつかの例では、装置はさらに、例示的な例の第１のセットに関して上述された方法の態様をインプリメントするための手段を含み得る。
【００１１】
[0011]  例示的な例の第３のセットにおいて、アクセス・ポイントにおけるワイヤレス通信のための別の装置が説明される。１つの構成では、装置は、アクセス・ポイントからデータを受信すべき複数の局を識別するための送信マネージャ、および、識別された複数の局にデータを送信するためにダウンリンク・フレームを生成するためのダウンリンク・フレーム・ジェネレータを含み得る。ダウンリンク・フレームは、識別された複数の局に向けられる第１のシグナリング・フィールドを含み得る。第１のシグナリング・フィールドは、第１のセグメントおよび第２のセグメントを含み得る。いくつかの例では、第１のシグナリング・フィールドは、ＷＬＡＮシグナリング・フィールドであり得る。第１のセグメントは、識別された複数の局の各々に共通の情報を含み得る。第２のセグメントは、少なくとも１つの情報ブロックを含み得る。各情報ブロックは、識別された複数の局の各々に関して別個にエンコードされ得る。装置はまた、識別された複数の局にダウンリンク・フレームを送信するためのダウンリンク・フレーム送信機を含み得る。いくつかの例では、装置はさらに、例示的な例の第１のセットに関して上述された方法の態様をインプリメントするためのコンポーネントを含み得る。
【００１２】
[0012]  例示的な例の第４のセットにおいて、アクセス・ポイントにおけるワイヤレス通信のためのコンピュータ実行可能コードを記憶する非一時的コンピュータ可読媒体が説明される。１つの構成では、コードは、アクセス・ポイントからデータを受信すべき複数の局を識別することと、識別された複数の局にデータを送信するためにダウンリンク・フレームを生成することと、をプロセッサによって実行可能であり得る。ダウンリンク・フレームは、識別された複数の局に向けられる第１のシグナリング・フィールドを含み得る。第１のシグナリング・フィールドは、第１のセグメントおよび第２のセグメントを含み得る。いくつかの例では、第１のシグナリング・フィールドは、ＷＬＡＮシグナリング・フィールドであり得る。第１のセグメントは、識別された複数の局の各々に共通の情報を含み得る。第２のセグメントは、少なくとも１つの情報ブロックを含み得る。各情報ブロックは、識別された複数の局の各々に関して別個にエンコードされ得る。コードはまた、識別された複数の局にダウンリンク・フレームを送信することをプロセッサによって実行可能であり得る。いくつかの例では、コンピュータ可読媒体はまた、例示的な例の第１のセットに関して上述された方法の態様をインプリメントするためのコードを含み得る。
【００１３】
[0013]  例示的な例の第５のセットにおいて、局におけるワイヤレス通信のための方法が説明される。１つの構成では、方法は、共有無線周波数スペクトル帯域においてダウンリンク・フレームを受信することを含み得る。ダウンリンク・フレームは、少なくとも第１のシグナリング・フィールドおよび第２のシグナリング・フィールドを含み得る。第１のシグナリング・フィールドおよび第２のシグナリング・フィールドは、別個にエンコードされ得る。第２のシグナリング・フィールドは、複数の局に共通の情報を有する第１のセグメント、および、複数の局の各々関して別個にエンコードされた情報ブロックを有する第２のセグメントを含み得る。いくつかの例では、第１および／または第２のシグナリング・フィールドは、ＷＬＡＮシグナリング・フィールドであり得る。方法はまた、第２のシグナリング・フィールドの第１のセグメントにおいて受信される情報を使用して局に関して別個にエンコードされた情報ブロックを復号することを含み得る。いくつかの例では、方法はさらに、第１のシグナリング・フィールドにおいて受信される情報を使用して別個にエンコードされた情報ブロックを復号することを含み得る。
【００１４】
[0014]  例示的な例の第６のセットにおいて、局におけるワイヤレス通信のための装置が説明される。１つの構成では、装置は、共有無線周波数スペクトル帯域においてダウンリンク・フレームを受信するための手段を含み得る。ダウンリンク・フレームは、少なくとも第１のシグナリング・フィールドおよび第２のシグナリング・フィールドを含み得る。いくつかの例では、第１および／または第２のシグナリング・フィールドは、ＷＬＡＮシグナリング・フィールドであり得る。第１のシグナリング・フィールドおよび第２のシグナリング・フィールドは、別個にエンコードされ得る。第２のシグナリング・フィールドは、複数の局に共通の情報を有する第１のセグメント、および、複数の局の各々に関して別個にエンコードされた情報ブロックを有する第２のセグメントを含み得る。装置はまた、第２のシグナリング・フィールドの第１のセグメントにおいて受信される情報を使用して局に関して別個にエンコードされた情報ブロックを復号するための手段を含み得る。いくつかの例では、装置はさらに、第１のシグナリング・フィールドにおいて受信される情報を使用して別個にエンコードされた情報ブロックを復号するための手段を含み得る。
【００１５】
[0015]  例示的な例の第７のセットにおいて、局におけるワイヤレス通信のための別の装置が説明される。１つの構成では、装置は、共有無線周波数スペクトル帯域においてダウンリンク・フレームを受信するためのダウンリンク・フレーム・デコーダを含み得る。ダウンリンク・フレームは、少なくとも第１のシグナリング・フィールドおよび第２のシグナリング・フィールドを含み得る。いくつかの例では、第１および／または第２のシグナリング・フィールドは、ＷＬＡＮシグナリング・フィールドであり得る。第１のシグナリング・フィールドおよび第２のシグナリング・フィールドは、別個にエンコードされ得る。第２のシグナリング・フィールドは、複数の局に共通の情報を有する第１のセグメント、および、複数の局の各々に関して別個にエンコードされた情報ブロックを有する第２のセグメントを含み得る。ダウンリンク・フレーム・デコーダは、第２のシグナリング・フィールドの第１のセグメントにおいて受信される情報を使用して局に関して別個にエンコードされた情報ブロックを復号し得る。いくつかの例では、ダウンリンク・フレーム・デコーダはさらに、第１のシグナリング・フィールドにおいて受信される情報を使用して別個にエンコードされた情報ブロックを復号し得る。
【００１６】
[0016]  例示的な例の第８のセットにおいて、局におけるワイヤレス通信のためのコンピュータ実行可能コードを記憶する非一時的コンピュータ可読媒体が説明される。１つの構成では、コードは、共有無線周波数スペクトル帯域においてダウンリンク・フレームを受信することをプロセッサによって実行可能であり得る。ダウンリンク・フレームは、少なくとも第１のシグナリング・フィールドおよび第２のシグナリング・フィールドを含み得る。いくつかの例では、第１および／または第２のシグナリング・フィールドは、ＷＬＡＮシグナリング・フィールドであり得る。第１のシグナリング・フィールドおよび第２のシグナリング・フィールドは、別個にエンコードされ得る。第２のシグナリング・フィールドは、複数の局に共通の情報を有する第１のセグメント、および、複数の局の各々に関して別個にエンコードされた情報ブロックを有する第２のセグメントを含み得る。コードはまた、第２のシグナリング・フィールドの第１のセグメントにおいて受信される情報を使用して局に関して別個にエンコードされた情報ブロックを復号することをプロセッサによって実行可能であり得る。いくつかの例では、コードはまた、第１のシグナリング・フィールドにおいて受信される情報を使用して別個にエンコードされた情報ブロックを復号することをプロセッサによって実行可能であり得る。
【００１７】
[0017]  前述は、以下の詳細な説明がより良く理解され得るように、本開示にしたがった例の特徴および技術的利点をやや広く概説している。さらなる特徴および利点が以下に説明される。開示される概念および具体的な例は、本開示と同じ目的を実行するために、他の構造を変更または設計するための基礎として容易に利用され得る。このような等価な構成体（construction）は、添付の特許請求の範囲から逸脱しない。本書に開示される概念の特性、それらの構成および動作の方法の両方は、関連する利点とともに、添付の図に関連して検討された場合、以下の説明からより一層理解されるであろう。図の各々は、例示および説明を目的として提供されており、特許請求の範囲の限定の定義としては提供されない。
【００１８】
[0018]  本開示の本質および利点のさらなる理解は、以下の図面を参照することによって実現され得る。添付の図面において、同様のコンポーネントまたは特徴は、同じ参照ラベルを有し得る。さらに、同じタイプのさまざまなコンポーネントは、参照ラベルに、ダッシュと、同様のコンポーネント間を区別する第２のラベルとを後続させることによって区別され得る。本明細書において第１の参照ラベルのみが使用される場合、第２の参照ラベルに関係なく同じ第１の参照ラベルを有する同様のコンポーネントのいずれか１つに、説明が適用可能である。
【図面の簡単な説明】
【００１９】
【図１】[0019]  図１は、本開示のさまざまな態様にしたがった、ワイヤレス通信システムのブロック図を示す。
【図２】[0020]  図２は、本開示のさまざまな態様にしたがった、アクセス・ポイントによって識別された複数の局の各々とアクセス・ポイントとの間のダウンリンク通信のために使用可能であるダウンリンク・フレームの例を示す。
【図３】[0021]  図３は、本開示のさまざまな態様にしたがった、図２を参照して説明されるダウンリンク・フレームのデータ・フィールドおよび第１のＷＬＡＮシグナリング・フィールドの例示的な構成を示す。
【図４】[0022]  図４は、本開示のさまざまな態様にしたがった、アクセス・ポイントと複数の局の各々との間のアップリンク通信のために使用可能であるアップリンク・フレームの例を示す。
【図５】[0023]  図５は、本開示のさまざまな態様にしたがった、ワイヤレス通信で使用するための装置のブロック図を示す。
【図６】[0024]  図６は、本開示のさまざまな態様にしたがった、ワイヤレス通信で使用するための装置のブロック図を示す。
【図７】[0025]  図７は、本開示のさまざまな態様にしたがった、ワイヤレス通信で使用するための装置のブロック図を示す。
【図８】[0026]  図８は、本開示のさまざまな態様にしたがった、ワイヤレス通信システムのブロック図を示す。
【図９】[0027]  図９は、本開示のさまざまな態様にしたがった、ワイヤレス通信で使用するための局のブロック図を示す。
【図１０】[0028]  図１０は、本開示のさまざまな態様にしたがった、ワイヤレス通信のための方法の例を例示するフロー・チャートである。
【図１１】[0029]  図１１は、本開示のさまざまな態様にしたがった、ワイヤレス通信のための方法の例を例示するフロー・チャートである。
【図１２】[0030]  図１２は、本開示のさまざまな態様にしたがった、ワイヤレス通信のための方法の例を例示するフロー・チャートである。
【発明を実施するための形態】
【００２０】
[0031]  ＷＬＡＮフレーム（またはパケット）のプリアンブルは、さまざまな目的を有する情報を含み得る。例えば、ＷＬＡＮフレームのプリアンブルは、少なくとも１つの対象の（intended）受信機（例えば、少なくとも１つのＡＰまたは局）に向けられる情報を含み得る。プリアンブルはまた、非対象の（non-intended）受信機に向けられる情報（例えば、通信のために使用される無線周波数スペクトル帯域（またはチャネル）がビジーであることを、ＡＰ、局、または通信に関与していない他のデバイスに知らせ得る情報）を含み得る。非対象の受信機に向けられる情報のいくつかまたはすべては、フレームを生成および／または送信するために使用されるプロトコルまたは基準のレガシ・バージョンに従った情報であり得る。
【００２１】
[0032]  本開示において説明される技術は、例えば、ダウンリンクまたはアップリンク・フレームにおいて含まれ得る高効率のＷＬＡＮシグナリング・フィールドを生成および／または送信する方法を指示する。いくつかの例では、ダウンリンクまたはアップリンク・フレームは、ＩＥＥＥ８０２．１１ａｘ通信のために使用され得る。いくつかの例では、ダウンリンクまたはアップリンク・フレームは、他のタイプの通信のために使用され得る。
【００２２】
[0033]  以下の説明は、例を提供しており、特許請求の範囲に記載されている範囲、適用可能性、または例を限定してはいない。論述される要素の機能および配置の変更が、本開示の範囲から逸脱することなく、為され得る。さまざまな例は、適宜、さまざまなプロシージャまたはコンポーネントを省略、代用、あるいは追加し得る。例えば、説明される方法は、説明されるものとは異なる順序で実施され得、さまざまなステップが追加、省略、または組み合わされ得る。また、いくつかの例に関して説明される特徴は、他の例において組み合され得る。
【００２３】
[0034]  まず図１を参照すると、ブロック図は、本開示のさまざまな態様にしたがった、ＷＬＡＮネットワーク１００の例（例えば、ＩＥＥＥ８０２．１１規格ファミリーの少なくとも1つをインプリメントするネットワーク）を例示する。ＷＬＡＮネットワーク１００は、アクセス・ポイント（ＡＰ）１０５、および少なくとも１つのワイヤレス・デバイスまたは局（ＳＴＡ）１１５、例えば、移動局、携帯情報端末（ＰＤＡ）、他のハンドヘルド・デバイス、ネットブック、ノートブック・コンピュータ、タブレット・コンピュータ、ラップトップ、ディスプレイ・デバイス（例えばＴＶ、コンピュータ・モニタなど）、プリンタなど、を含み得る。ただ１つのＡＰ１０５が例示されているが、ＷＬＡＮネットワーク１００は、複数のＡＰ１０５を含み得る。局１１５の各々は、移動局（ＭＳ）、モバイル・デバイス、アクセス端末（ＡＴ）、ユーザ機器（ＵＥ）、加入者局（ＳＳ）、または加入者ユニットとも呼ばれ得、通信リンク１１０を介してＡＰ１０５と関連付けおよび通信し得る。各ＡＰ１０５は、地理的カバレッジ・エリア１２５を、地理的カバレッジ・エリア１２５内の局１１５が典型的にＡＰ１０５と通信することができるように、有し得る。局１１５は、地理的カバレッジ・エリア１２５全体にわたって分散され得る。各デバイス１１５は、固定式または移動式であり得る。
【００２４】
[0035]  図１には示されていないが、局１１５は、２つ以上のＡＰ１０５によってカバーされることができ、したがって、それぞれ異なる時間に、ＡＰ１０５と関連付けすることができる。単一のＡＰ１０５および局の関連付けされたセットは、基本サービス・セット（ＢＳＳ）とも呼ばれ得る。拡張サービス・セット（ＥＳＳ）は、接続されたＢＳＳのセットを含み得る。分配システム（ＤＳ）（図示されていない）は、拡張サービス・セットにおいてＡＰ１０５に接続するために使用され得る。ＡＰ１０５のための地理的カバレッジ・エリア１２５は、カバレッジ・エリアの一部のみを構成する複数のセクタに分割され得る（図示せず）。ＷＬＡＮネットワーク１００は、（例えば、大都市圏、家庭内ネットワークなどの）異なるタイプのＡＰ１０５を、異なる技術のための重複するカバレッジ・エリアおよび可変のサイズのカバレッジ・エリアとともに、含み得る。図示されていないが、他のワイヤレス・デバイスは、ＡＰ１０５と通信することができる。
【００２５】
[0036]  局１１５は、一方で通信リンク１１０を使用してＡＰ１０５を通じて互いに通信し得るが、局１１５はまた、ダイレクト・ワイヤレス・リンク１２０を介して別の局１１５と直接通信し得る。２つ以上の局１１５は、両方の局１１５がＡＰ１０５の地理的カバレッジ・エリア１２５にあるときに、あるいは１つの局１１５がＡＰ１０５の地理的カバレッジ・エリア１２５内にある、またはいずれの局１１５もＡＰ１０５の地理的カバレッジ・エリア１２５内にないときに、ダイレクト・ワイヤレス・リンク１２０を介して通信し得る（図示せず）。ダイレクト・ワイヤレス・リンク１２０の例は、Ｗｉ−Ｆｉダイレクト接続、Ｗｉ−Ｆｉトンネルのダイレクト・リンク・セットアップ（ＴＤＬＳ）リンクを使用して確立された接続、および他のピア・ツー・ピア（Ｐ２Ｐ）グループ接続を含み得る。これらの例における局１１５は、８０２．１１ｂ、８０２．１１ｇ、８０２．１１ａ、８０２．１１ｎ、８０２．１１ａｃ、８０２．１１ａｄ、８０２．１１ａｈ、８０２．１１ａｘなどを含むが、それらに限定されないＩＥＥＥ８０２．１１規格ファミリーによって説明される、物理およびＭＡＣレイヤを含む、ＷＬＡＮ無線およびベースバンド・プロトコルにしたがって通信し得る。他のインプリメンテーションにおいて、他のＰ２Ｐ接続および／またはアド・ホック・ネットワークは、ＷＬＡＮネットワーク１００内にインプリメントされ得る。
【００２６】
[0037]  ＷＬＡＮネットワーク１００において、ＡＰ１０５は、新しいワイヤレス規格を含む、ＩＥＥＥ８０２．１１規格のさまざまなバージョンにしたがって、少なくとも１つの局１１５にメッセージを送信し、または少なくとも１つの局１１５からメッセージを受信し得る。いくつかの例では、ＡＰ１０５は、ＡＰワイヤレス通信マネージャ５２０を含み得る。ＡＰワイヤレス通信マネージャ５２０は、ダウンリンク・フレームを生成および／または送信するために、および／またはアップリンク・フレームを受信するために、使用され得る。同様に、局１１５は、局ワイヤレス通信マネージャ７２０を含み得る。局ワイヤレス通信マネージャ７２０は、ダウンリンク・フレームを受信するために、および／またはアップリンク・フレームを生成および／または送信するために、使用され得る。
【００２７】
[0038]  図２は、本開示のさまざまな態様にしたがった、ＡＰによって識別された複数の局の各々とＡＰとの間のダウンリンク通信のために使用可能であるダウンリンク・フレーム２００の例を示す。いくつかの例では、ＡＰは、図１を参照して説明されたＡＰ１０５の態様の例であり得、複数の局は、図１を参照して説明された局１１５の態様の例であり得る。
【００２８】
[0039]  ダウンリンク・フレーム２００は、レガシＷＬＡＮプリアンブル・フィールド２０５、反復レガシＷＬＡＮシグナリング・フィールド２１０（ＲＬ−ＳＩＧ）、第１のＷＬＡＮシグナリング・フィールド２１５（例えば、ＨＥ−ＳＩＧ−Ｂとラベル付けされた第１の高効率ＷＬＡＮシグナリング・フィールド）、第２のＷＬＡＮシグナリング・フィールド２２０（例えば、ＨＥ−ＳＩＧ−Ａとラベル付けされた第２の高効率ＷＬＡＮシグナリング・フィールド）、ＷＬＡＮショート・トレーニング・フィールド（ＳＴＦ）２２５（例えば、ＨＥ−ＳＴＦとラベル付けされた高効率ＷＬＡＮ ＳＴＦ）、少なくとも１つのＷＬＡＮロング・トレーニング・フィールド（ＬＴＦ）２３０（例えば、ＨＥ−ＬＴＦとラベル付けされた少なくとも１つの高効率ＷＬＡＮ ＬＴＦ）、および／またはデータ・フィールド２３５、を含み得る。いくつかの例では、フィールドは、次の順番で送信され得る、レガシＷＬＡＮプリアンブル・フィールド２０５、反復レガシＷＬＡＮシグナリング・フィールド２１０、第２のＷＬＡＮシグナリング・フィールド２２０、第１のＷＬＡＮシグナリング・フィールド２１５、ＨＥ−ＳＴＦ２２５、ＨＥ−ＬＴＦ２３０、データ・フィールド２３５。
【００２９】
[0040]  ダウンリンク・フレーム２００は、無線周波数スペクトル帯域上で送信され得、それは、いくつかの例では、複数のサブバンドを含み得る。いくつかの例では、無線周波数スペクトル帯域は、８０ＭＨｚの帯域幅を有し得、サブバンドの各々は、２０ＭＨｚの帯域幅を有し得る。
【００３０】
[0041]  レガシＷＬＡＮプリアンブル・フィールド２０５は、レガシＳＴＦ（Ｌ−ＳＴＦ）情報２４０、レガシＬＴＦ（Ｌ−ＬＴＦ）情報２４５、および／またはレガシ・シグナリング（Ｌ−ＳＩＧ）情報２５０を含み得る。無線周波数スペクトル帯域が複数のサブバンドを含む場合、Ｌ−ＳＴＦ、Ｌ−ＬＴＦおよびＬ−ＳＩＧ情報は、複数のサブバンドの各々において、複製および送信され得る。Ｌ−ＳＩＧ情報２５０はさらに、反復レガシ・シグナリング（ＲＬ−ＳＩＧ）情報として、反復レガシＷＬＡＮシグナリング・フィールド２１０の各サブバンドにおいて、複製および送信され得る。反復レガシＷＬＡＮシグナリング・フィールド２１０は、ダウンリンク・フレーム２００がＩＥＥＥ８０２・１１ａｘダウンリンク・フレームであることを局に指示し得る。
【００３１】
[0042]  第２のＷＬＡＮシグナリング・フィールド２２０は、ダウンリンク・フレーム２００においてダウンリンク通信を受信するものと識別された複数の局以外の局によって使用可能である高効率ＷＬＡＮシグナリング情報を含み得る。第２のＷＬＡＮシグナリング・フィールド２２０はまた、第１のＷＬＡＮシグナリング・フィールド２１５を復号するために識別された複数の局によって使用可能である情報を含み得る。無線周波数スペクトル帯域が複数のサブバンドを含む場合、第２のＷＬＡＮシグナリング・フィールド２２０に含まれる情報（例えば、ＨＥ−ＳＩＧ−Ａ情報）は、第２のＷＬＡＮシグナリング・フィールド２２０の各サブバンドにおいて複製および送信され得る。
【００３２】
[0043]  第１のＷＬＡＮシグナリング・フィールド２１５は、ダウンリンク・フレーム２００においてダウンリンク通信を受信するものと識別された複数の局によって使用可能である高効率ＷＬＡＮシグナリング情報を含み得る。より具体的には、第１のＷＬＡＮシグナリング・フィールド２１５は、データ・フィールド２３５において受信されるデータを復号するために複数の局によって使用可能である情報を含み得る。第１のＷＬＡＮシグナリング・フィールド２１５は、第２のＷＬＡＮシグナリング・フィールド２２０とは別個にエンコードされ得る。
【００３３】
[0044]  図３は、図２を参照して説明されたダウンリンク・フレーム２００のデータ・フィールド２３５および第１のＷＬＡＮシグナリング・フィールド２１５の例示的な構成３００を示す。図３はまた、本開示のさまざまな態様にしたがって、図２を参照して説明されたＨＥ−ＳＴＦ２２５およびＨＥ−ＬＴＦ２３０を示す。
【００３４】
[0045]  いくつかの例では、第１のＷＬＡＮシグナリング・フィールド２１５は、第１のセグメント３０５および第２のセグメント３１０に分割され得る。第１のセグメント３０５は、識別された複数の局の各々に共通の情報を含み得る。第２のセグメント３１０は、少なくとも１つの情報ブロック（例えば、識別された各局に対して１つの情報ブロック３１５）を含み得る。各情報ブロック３１５は、識別された複数の局の各々に関して別個にエンコードされ得る。
【００３５】
[0046]  第１のＷＬＡＮシグナリング・フィールド２１５の第１のセグメント３０５は、第１のＷＬＡＮシグナリング・フィールド２１５の第２のセグメント３１０に含まれる別個にエンコードされた情報ブロック３１５を復号するために識別された複数の局によって使用可能である情報を含み得る（例えば、第１のセグメント３０５において含まれる情報は、第２のセグメント３１０においてそれぞれ別個にエンコードされた情報ブロック３１５を復号するために局によって使用され得る）。第１のＷＬＡＮシグナリング・フィールド２１５が送信される無線周波数スペクトル帯域が複数のサブバンドを含む場合、第１のセグメント３０５に含まれる情報（例えば共通のＨＥ−ＳＩＧ−Ｂ）は、複数のサブバンドの各々において複製および送信され得る。いくつかの例では、第１のＷＬＡＮシグナリング・フィールド２１５の第１のセグメント３０５は、１つのＯＦＤＭシンボルに制約され得る。
【００３６】
[0047]  いくつかの例では、同じ遅延拡散保護メカニズムが、（図２を参照して説明された）第２のＷＬＡＮシグナリング・フィールド２２０および（図３を参照して説明された）第１のＷＬＡＮシグナリング・フィールド２１５の第１のセグメント３０５の各々において使用され得る。遅延拡散保護メカニズムは、時間領域反復、周波数領域反復（例えば、ＭＣＳ１０）、またはそれらの組み合わせを含み得る。いくつかの例では、第１のＷＬＡＮシグナリング・フィールド２１５の第１のセグメント３０５における遅延拡散保護メカニズムの使用または不使用は、第１のＷＬＡＮシグナリング・フィールド２１５を含むダウンリンク・フレームのレガシ・シグナリング情報において（例えば、図２を参照して説明されたＬ−ＳＩＧ情報２５０において）指示され得る。
【００３７】
[0048]  別個にエンコードされた情報ブロック３１５の各々は、データ・フィールド２３５において送信されるデータを受信（例えば、復号）するために識別された局によって使用可能である情報を含み得る。いくつかの例では、別個にエンコードされた情報ブロック３１５の各々は、第１のＷＬＡＮシグナリング・フィールド２１５の１つのＯＦＤＭシンボル内で送信され得る（例えば、ＯＦＤＭシンボルにわたる情報ブロック３１５のブリージング（bleeding）は禁止され得る）。別個にエンコードされた情報ブロック３１５の各々はまた、共有無線周波数スペクトル帯域の１つのサブバンドにおいて送信され得る（例えば、種々の情報ブロック３１５は種々のサブバンドにおいて送信され得るが、単一の情報ブロック３１５はただ１つのサブバンドにおいて送信され得る）。各情報ブロック３１５が１つのサブバンドにおける１つのＯＦＤＭシンボルにおいて送信される場合、ビタビ（Viterbi）状態のバッファリングが回避され得る。いくつかの例では（例えば、高次のＭＣＳがＯＦＤＭシンボルに対して使用される場合）、少なくとも２つの別個にエンコードされた情報ブロックが、同じＯＦＤＭシンボルおよびサブバンドにおいて送信され得る。他の例では、別個にエンコードされた情報ブロック３１５は、ＯＦＤＭシンボルまたはサブバンドにわたってブリージングすることを可能にされ得る。
【００３８】
[0049]  図３において、第２のセグメント３１０は、１０のユーザまたは局に関して別個にエンコードされた情報ブロック３１５（例えば、ユーザ１乃至ユーザ１０とラベル付けされた情報ブロック３１５）を含み得る。いくつかの例では、局の識別の数の各々に関して、第１のＷＬＡＮシグナリング・フィールド２１５の第２のセグメント３１０において局のために送信される情報ブロック３１５、およびデータ・フィールド２３５において局のために送信されるデータが、同じサブバンドにおいて送信され得る。他の例では、第１のＷＬＡＮシグナリング・フィールド２１５の第２のセグメント３１０において送信される情報ブロック３１５は、最小の数のＯＦＤＭシンボル上での送信のために設けられ得、および／または、データ・フィールド２３５において送信されるデータは、最小の数のＯＦＤＭシンボル上での送信のために設けられ得る。しかしながら、このことは、局に関わる情報ブロック３１５をもたらし得、それは、その局に関わるデータとは異なるサブバンドにおいて送信される。情報ブロック３１５が第１のＷＬＡＮシグナリング・フィールド２１５の第２のセグメント３１０においてどのように設けられるかに関わらず、情報ブロック３１５の数は、複数のサブバンドにわたって均等に分配されない可能性があり、したがって少なくとも１つの余白ブロック（padding block）３２０の送信の必要性を生じさせる。
【００３９】
[0050]  いくつかの例では、別個にエンコードされた情報ブロック３１５は、異なる変調および符号化スキーム（ＭＣＳ）に関連付けされたＯＦＤＭシンボルにマッピングされ得る。例えば、第１のＷＬＡＮシグナリング・フィールド２１５の第２のセグメント３１０は、少なくとも第１のＯＦＤＭシンボルおよび第２のＯＦＤＭシンボルを含み、第１のＯＦＤＭシンボルは、第１のＭＣＳに関連付けされ得、第２のＯＦＤＭシンボルは、第１のＭＣＳとは異なる第２のＭＣＳに関連付けされ得る。第１のＭＣＳが第２のＭＣＳより高次のＭＳＣである場合、より良質な通信リンクでＡＰと通信状態にある局に関わる情報ブロックは、第１のＯＦＤＭシンボルにマッピングされ得、より質の低い通信リンクでＡＰと通信状態にある局に関わる情報ブロックは、第２のＯＦＤＭシンボルにマッピングされ得る。これは、情報ブロック３１５の各々が、最も有効なＭＣＳを使用して対応する局に送信されることを可能にし得る。いくつかの場合では、第１のＷＬＡＮシグナリング・フィールド２１５は、追加のＯＦＤＭシンボルを含み得、追加のＯＦＤＭシンボルの各々は、第１のＭＣＳ、第２のＭＣＳ、または少なくとも１つの追加のＭＣＳに関連付けされている。いくつかの例では（例えば、高次のＭＣＳがＯＦＤＭシンボルに対して使用される場合）、少なくとも２つの別個にエンコードされた情報ブロック３１５が、単一のＯＦＤＭシンボルおよびサブバンドにマッピングされ得る。
【００４０】
[0051]  いくつかの例では、遅延拡散保護メカニズムが、第１のシグナリング・フィールド２１５の第２のセグメントにおいて各々別個にエンコードされた情報ブロックを保護するために使用され得る。遅延拡散保護メカニズムは、周波数領域反復（例えば、ＭＣＳ１０）、または延長されたＧＩ（lengthened GI）、またはそれらの組み合わせを含み得る。いくつかの例では、第１のＷＬＡＮシグナリング・フィールド２１５の第１のセグメント３０５における遅延拡散保護メカニズムの使用または不使用は、第１のＷＬＡＮシグナリング・フィールド２１５を含むダウンリンク・フレームのレガシ・シグナリング情報において（例えば、図２を参照して説明されたＬ−ＳＩＧ情報２５０において）指示され得る。
【００４１】
[0052]  第１のＷＬＡＮシグナリング・フィールド２１５を含むダウンリンク・フレームは、複数のユーザへの（すなわちマルチプル・ユーザ（ＭＵ）モードでの）送信のために、または、単一のユーザへの（すなわちシングル・ユーザ（ＳＵ）モードでの）送信のために、構成され得る。第１のＷＬＡＮシグナリング・フィールド２１５の第１のセグメント３０５に含まれる情報は、ダウンリンク・フレームがＭＵモードで構成されているかＳＵモードで構成されているかによって異なり得る。また、ＳＵモードで構成されている場合、第１のＷＬＡＮシグナリング・フィールド２１５の第２のセグメント３１０の送信は省略され得る。
【００４２】
[0053]  図２および３を参照して説明されたダウンリンク・フレームの構造は、第１のＷＬＡＮシグナリング・フィールド２１５がダウンリンク・フレームにおけるダウンリンクの通信を受信している局の数から独立したものであり得るという点において、有用であり得る。例えば、局の数が増えるのにしたがって、第１のＷＬＡＮシグナリング・フィールド２１５の第２のセグメント３１０に含まれる別個にエンコードされた情報ブロック３１５の数が増え得る。ダウンリンク・フレームの構造はまた、それの性能および効率が局の数から独立したものであり得るという点において、有用であり得る（例えば、局は、第２のＷＬＡＮシグナリング・フィールド２２０が送信されるＯＦＤＭシンボル、第１のＷＬＡＮシグナリング・フィールド２１５の第１のセグメント３０５が送信されるＯＦＤＭシンボル、および／または別個にエンコードされた情報ブロック３１５が局のために送信されるＯＦＤＭシンボルのような、少数のＯＦＤＭシンボルを復号するだけで良い。ダウンリンク・フレームの構造はまた、（例えば、情報ブロック３１５が第１のＷＬＡＮシグナリング・フィールド２１５全体より短い時間で、または、第１のＷＬＡＮシグナリング・フィールド２１５の第２のセグメント３１０より短い時間で受信され得るので）第１のＷＬＡＮシグナリング・フィールド２１５の第２のセグメント３１０において送信される情報ブロック３１５を別個にエンコードすることが、情報ブロック３１５における遅延拡散保護メカニズムを使用する必要性を最小限にする、または排除し得る、という点において、有用であり得る。ダウンリンク・フレームの構造はまた、第１のＷＬＡＮシグナリング・フィールド２１５の第２のセグメント３１０に含まれる情報ブロック３１５が複製されないという点において、有用であり得る（例えばより効率的である）。
【００４３】
[0054]  図２および３を参照して説明されたダウンリンク・フレームのいくつかの例では、第２のＷＬＡＮシグナリング・フィールド２２０は、識別された複数の局以外の局によって使用可能である情報を含み得る。第２のＷＬＡＮシグナリング・フィールド２２０は、さらに、または代替として、第１のＷＬＡＮシグナリング・フィールド２１５を復号するために識別された複数の局によって使用可能である情報を含み得る。いくつかの例では、第２のＷＬＡＮシグナリング・フィールド２２０は、識別子、基本サービス・セット（ＢＳＳ）カラー（an identifier a basic service set (BSS) color）、局を対象とした第１のＷＬＡＮシグナリング・フィールドにおいて別個にエンコードされた情報ブロックを識別するためにその局によって使用される帯域幅情報、ユーザごとのＧＩが第１のＷＬＡＮシグナリング・フィールド２１５において使用されるかどうかのインジケータ（例えば、第１のＷＬＡＮシグナリング・フィールド２１５において使用されるＧＩ長がユーザごとに変わり得るかどうかのインジケータ）、フレームがダウンリンク・フレームであるかアップリンク・フレームであるかのインジケータ、ダウンリンク・フレームがヌル・データ・パケットであるかどうかのインジケータ、第２のＷＬＡＮシグナリング・フィールド２２０に関わる巡回冗長検査（ＣＲＣ）、および／またはチャネル・ボンディング（channel bonding）に関わる情報を含み得る。帯域幅情報が第２のＷＬＡＮシグナリング・フィールド２２０に含まれる場合、第１のＷＬＡＮシグナリング・フィールド２１５の第１のセグメント３０５は、局が第１のＷＬＡＮシグナリング・フィールド２１５の第２のセグメント３１０において情報ブロック３１５を受信する前に帯域幅切り替え（bandwidth switching）を実施することを可能にするバッファとして機能し得る。いくつかの例では、テール・バイティング畳み込み符号化が、第２のＷＬＡＮシグナリング・フィールド２２０において使用され得る。
【００４４】
[0055]  いくつかの例では、図２および３を参照して説明される第１のＷＬＡＮシグナリング・フィールド２１５の第１のセグメント３０５は、第１のＷＬＡＮシグナリング・フィールド２１５の第２のセグメント３１０に含まれる別個にエンコードされた情報ブロック３１５を復号するために識別された複数の局によって使用可能である情報を含み得る（例えば、第１のＷＬＡＮシグナリング・フィールド２１５の第１のセグメント３０５において含まれる情報は、第１のＷＬＡＮシグナリング・フィールド２１５の第２のセグメント３１０においてそれぞれ別個にエンコードされた情報ブロック３１５を復号するために局によって使用され得る）。いくつかの例では、第１のＷＬＡＮシグナリング・フィールド２１５の第１のセグメント３０５は、第１のＷＬＡＮシグナリング・フィールド２１５における複数のシンボルのインジケータ、第１のＷＬＡＮシグナリング・フィールド２１５のために使用されるＭＣＳのインジケータ、第１のＷＬＡＮシグナリング・フィールド２１５が単一のユーザ（例えば単一の局）のためにフォーマットされるか、複数のユーザ（例えば複数の局）のためにフォーマットされるかのインジケータ、周波数誤差（ＦＥ）の量のインジケータ、ＧＩ長のインジケータ、ダウンリンク・フレームのＷＬＡＮ ＬＴＦで使用されるＬＴＦ圧縮因子のインジケータ、（ＷＬＡＮ ＬＴＦの総数がデータ・ストリームの総数と異なる場合の）ＷＬＡＮ ＬＴＦの数のインジケータ、および／または、第１のＷＬＡＮシグナリング・フィールド２１５の第１のセグメント３０５に関わるＣＲＣ、のうちの少なくとも１つを含み得る。いくつかの例では、テール・バイティング畳み込み符号化が、第１のＷＬＡＮシグナリング・フィールド２１５の第１のセグメント３０５において使用され得る。
【００４５】
[0056]  いくつかの例では、図２および３を参照して説明される第１のＷＬＡＮシグナリング・フィールド２１５の第２のセグメント３１０に含まれる別個にエンコードされた情報ブロック３１５の各々は、複数の局のうちの識別された１つに対応し得、複数の局のうちのその識別された１つによって復号可能であり得る。いくつかの例では、ある局（他の局ではなく）による情報ブロック３１５の復号は、局の偏関連度識別子（ＰＡＩＤ：partial association identifier）で情報ブロックのＣＲＣを排他的にＯＲする（ＸＯＲする）ことによって提供され得る。いくつかの例では、別個にエンコードされた情報ブロック３１５は、後続のデータ・ストリームにおけるリソースが直交周波数分割多元接続（ＯＦＤＭＡ）リソースとして割り当てられるかマルチ・ユーザ多入力多出力（ＭＵ−ＭＩＭＯ）リソースとして割り当てられるかのインジケータと、データ・ストリームにおけるリソース割り当てのタイプのインジケータと、局識別子（ＩＤ）と、ユーザごとの（例えば局ごとの）情報、例えば、データ・ストリームのために使用されるＭＣＳのインジケータ、データ・ストリームのために使用される符号化情報のインジケータ、データ・ストリームにおいて使用される空間ストリームの数（ＮＳＳ）のインジケータ、時空間ブロック符号化（ＳＴＢＣ：space-time block coding）がデータ・ストリームにおいて使用されるかどうかのインジケータ、または、送信ビームフォーミング（ＴｘＢＦ）がデータ・ストリームにおいて使用されるかどうかのインジケータと、および／またはＣＲＣ（例えば、局のＰＡＩＤを備えたＣＲＣ ＸＯＲ’ｄ）と、のうちの少なくとも１つを含み得る。いくつかの例では、テール・バイティング畳み込み符号化が、情報ブロック３１５において使用され得る。
【００４６】
[0057]  図４は、本開示のさまざまな態様にしたがった、ＡＰと複数の局の各々との間のアップリンク通信のために使用可能であるアップリンク・フレーム４００の例を示す。いくつかの例では、ＡＰは、図１を参照して説明されたＡＰ１０５の態様の一例であり得、複数の局は、図１を参照して説明された局１１５の態様の例であり得る。
【００４７】
[0058]  アップリンク・フレーム４００は、レガシＷＬＡＮプリアンブル・フィールド４０５、反復レガシＷＬＡＮシグナリング・フィールド４１０、ＷＬＡＮシグナリング・フィールド４１５（例えば、ＨＥ−ＳＩＧ−Ａとラベル付けされた高効率ＷＬＡＮシグナリング・フィールド）、オプションの第２のＷＬＡＮシグナリング・フィールド４２０（例えば、ＨＥ−ＳＩＧ−Ｃとラベル付けされた第２の高効率ＷＬＡＮシグナリング・フィールド）、ＷＬＡＮショート・トレーニング・フィールド（ＳＴＦ）４２５（例えば、ＨＥ−ＳＴＦとラベル付けされた高効率ＷＬＡＮ ＳＴＦ）、少なくとも１つのＷＬＡＮロング・トレーニング・フィールド（ＬＴＦ）４３０（例えば、ＨＥ−ＬＴＦとラベル付けされた少なくとも１つの高効率ＷＬＡＮ ＬＴＦ）、および／またはデータ・フィールド４３５、を含み得る。いくつかの例では、フィールドは、次の順番で送信され得る、レガシＷＬＡＮプリアンブル・フィールド４０５、反復レガシＷＬＡＮシグナリング・フィールド４１０、第１のＷＬＡＮシグナリング・フィールド４１５、ＨＥ−ＳＴＦ４２５、ＨＥ−ＬＴＦ４３０、オプションの第２のＷＬＡＮシグナリング・フィールド４２０、データ・フィールド４３５。
【００４８】
[0059]  アップリンク・フレーム４００は、無線周波数スペクトル帯域上で送信され得、それは、いくつかの例では、複数のサブバンドを含み得る。無線周波数スペクトル帯域は、８０ＭＨｚの帯域幅を有し得、サブバンドの各々は、２０ＭＨｚの帯域幅を有し得る。
【００４９】
[0060]  レガシＷＬＡＮプリアンブル・フィールド４０５は、Ｌ−ＳＴＦ情報４４０、Ｌ−ＬＴＦ情報４４５、および／またはレガシ・シグナリング（Ｌ−ＳＩＧ）情報４５０を含み得る。無線周波数スペクトル帯域が複数のサブバンドを含む場合、Ｌ−ＳＴＦ、Ｌ−ＬＴＦおよびＬ−ＳＩＧ情報は、複数のサブバンドの各々において、複製および送信され得る。Ｌ−ＳＩＧ情報４５０はさらに、反復レガシ・シグナリング（ＲＬ−ＳＩＧ）情報として、反復レガシＷＬＡＮシグナリング・フィールド４１０の各サブバンドにおいて、複製および送信され得る。反復レガシＷＬＡＮシグナリング・フィールド４１０は、アップリンク・フレーム４００がＩＥＥＥ８０２・１１ａｘアップリンク・フレームであることを局またはＡＰに指示し得る。
【００５０】
[0061]  第１のＷＬＡＮシグナリング・フィールド４１５は、再利用の目的で局によって使用可能である高効率のＷＬＡＮシグナリング情報を含み得る。無線周波数スペクトル帯域が複数のサブバンドを含む場合、第１のＷＬＡＮシグナリング・フィールドに含まれる情報（例えば、ＨＥ−ＳＩＧ−Ａ情報）は、第１のＷＬＡＮシグナリング・フィールドの各サブバンドにおいて複製および送信され得る。
【００５１】
[0062]  前記第２のＷＬＡＮシグナリング・フィールド４２０は、オプションであり得る。ＡＰにおけるアップリンクでのデータの受信の前に、ＡＰは、アップリンクＯＦＤＭＡおよび／またはアップリンクＭＵ−ＭＩＭＯ通信をトリガするＡＰの結果として、特定の情報を予め有し得る。例えば、アップリンクＯＦＤＭＡ送信に関しては、ＡＰは、予めアップリンク・ペイロードの最大の持続時間、帯域幅（ＢＷ）、および／または時空間ストリーム（ＮＳＴＳ）の数を予め認識し得る。アップリンクＭＵ−ＭＩＭＯ送信に関しては、ＡＰは、アップリンク・ペイロードの最大の持続時間および／または局ごとのトーン割り当てを予め認識し得る。しかしながら、アップリンクＯＦＤＭＡ送信に関しては、ＡＰは、ＭＣＳ、ＳＴＣ、または符号化を認識していない可能性があり、アップリンクＭＵ−ＭＩＭＯ送信に関しては、ＡＰは、ＭＣＳ、ＮＳＴＳ、ＳＴＢＣまたは符号化を認識していない可能性があり得る。未知の情報は、異なる方法で処理され得る。いくつかの実施形態では、局は、未知の数量のうちのいくつかを選択することと、それらの数量を第２のＷＬＡＮシグナリング・フィールド４２０においてＡＰに報告することとが可能になり得る。他の実施形態では、ＡＰは、数量の全てを選択することが可能であり得、したがって第２のＷＬＡＮシグナリング・フィールド４２０の必要性を排除し得る。後者の実施形態は、ＡＰにインテリジェンスをシフトし、局のデータ処理能力を比較的低め（dumber）、ＡＰと局との間の相互動作を容易にする。
【００５２】
[0063]  図５は、本開示のさまざまな態様にしたがって、ワイヤレス通信で使用するための装置１０５−ａのブロック図５００を示す。いくつかの例では、装置１０５−ａは、図１に関連して説明されたＡＰ１０５の態様の例であり得る。装置１０５−ａはまた、プロセッサ（図示せず）であり得るか、それを含み得る。装置１０５−ａは、受信機５１０、ワイヤレス通信マネージャ５２０−ａ、および／または送信機５３０を含み得る。これらのコンポーネントの各々は、互いと通信状態にあり得る。
【００５３】
[0064]  装置１０５−ａのコンポーネントは、個々にまたは集合的に、ハードウェアにおける適用可能な機能のうちのいくつかまたは全てを実施するように適合された少なくとも１つの特定用途向け集積回路（ＡＳＩＣ）を使用してインプリメントされ得る。代替として、機能は、少なくとも１つの集積回路上で、少なくとも１つの他の処理ユニット（またはコア）によって実施され得る。他の例では、他のタイプの集積回路（例えば、ストラクチャード／プラットフォームＡＳＩＣ、フィールド・プログラマブル・ゲート・アレイ（ＦＰＧＡ）、システム・オン・チップ（ＳｏＣ）、および／または他のタイプのセミカスタムＩＣ）が使用され得、それらは、当該技術において知られている任意の方法でプログラムされ得る。各コンポーネントの機能はまた、全体的にあるいは部分的に、メモリに統合される命令でインプリメントされ、少なくとも１つの汎用および／または特定用途向けのプロセッサによって実行されるようにフォーマットされ得る。
【００５４】
[0065]  いくつかの例では、受信機５１０は、少なくとも１つの無線周波数（ＲＦ）受信機を含み得る。受信機５１０および／またはＲＦ受信機は、図１を参照して説明されたＷＬＡＮネットワーク１００の少なくとも１つの通信リンクのような、ワイヤレス通信システムの少なくとも１つの通信リンクを通じてさまざまなタイプのデータおよび／または制御信号（すなわち、送信）を受信するために使用され得る。
【００５５】
[0066]  いくつかの例では、送信機５３０は、少なくとも１つのＲＦ送信機を含み得る。送信機５３０またはＲＦ送信機は、図１を参照して説明されたＷＬＡＮネットワーク１００の少なくとも１つの通信リンクのような、ワイヤレス通信システムの少なくとも１つの通信リンクを通じてさまざまなタイプのデータおよび／または制御信号（すなわち、送信）を送信するために使用され得る。
【００５６】
[0067]  いくつかの例では、ワイヤレス通信マネージャ５２０−ａは、装置１０５−ａのためのワイヤレス通信の少なくとも１つの態様を管理するために使用され得る。ワイヤレス通信マネージャ５２０−ａは、送信マネージャ５３５、ダウンリンク・フレーム・ジェネレータ５４０、および／またはダウンリンク・フレーム送信機５４５を含み得る。いくつかの例では、ダウンリンク・フレーム送信機５４５のすべてまたは一部は、送信機５３０に組み込まれ得る。
【００５７】
[0068]  送信マネージャ５３５は、装置１０５−ａからデータを受信すべき複数の局を識別するために使用され得る。ダウンリンク・フレーム・ジェネレータ５４０は、送信マネージャ５３５によって識別された複数の局にデータを送信するためにダウンリンク・フレームを生成するために使用され得る。ダウンリンク・フレームは、識別された複数の局に向けられる第１のＷＬＡＮシグナリング・フィールドを含み得る。第１のＷＬＡＮシグナリング・フィールドは、第１のセグメントおよび／または第２のセグメントを含み得る。第１のセグメントは、識別された複数の局の各々に共通の情報を含み得る。第２のセグメントは、少なくとも１つの情報ブロックを含み得る。各情報ブロックは、識別された複数の局の各々に関して別個にエンコードされ得る。いくつかの例では、ダウンリンク・フレームは、図２および／または図３を参照して説明されたダウンリング・フレームの態様を含み得る。ダウンリンク・フレーム送信機５４５は、送信マネージャ５３５によって識別された複数の局にダウンリンク・フレーム・ジェネレータ５４０によって生成されたダウンリンク・フレームを送信するために使用され得る。ダウンリンク・フレームは、送信機５３０を介して送信され得る。
【００５８】
[0069]  図６は、本開示のさまざまな態様にしたがって、ワイヤレス通信で使用するための装置１０５−ｂのブロック図６００を示す。いくつかの例では、装置１０５−ｂは、図１に関連して説明されたＡＰ１０５の態様の一例であり得る。装置１０５−ｂはまた、プロセッサ（図示せず）であり得るか、それを含み得る。装置１０５−ｂは、受信機５１０−ａ、ワイヤレス通信マネージャ５２０−ｂ、および／または送信機５３０−ａを含み得る。これらコンポーネントの各々は、互いと通信状態にあり得る。
【００５９】
[0070]  いくつかの例では、受信機５１０−ａ、ワイヤレス通信マネージャ５２０−ｂ、および送信機５３０−ａは、図５を参照して説明された受信機５１０、ワイヤレス通信マネージャ５２０−ａ、および送信機５３０のそれぞれの例であり得る。図６に示されているように、ワイヤレス通信マネージャ５２０−ｂは、送信マネージャ５３５−ａ、ダウンリンク・フレーム・ジェネレータ５４０−ａ、および／またはダウンリンク・フレーム送信機５４５−ａを含み得る。ダウンリンク・フレーム・ジェネレータ５４０−ａは、第１のＷＬＡＮシグナリング・フィールド・ジェネレータ６０５、第２のＷＬＡＮシグナリング・フィールド・ジェネレータ６１０、レガシＷＬＡＮプリアンブル・ジェネレータ６１５、および／またはデータ・フィールド・ジェネレータ６２０を含み得る。いくつかの例では、ダウンリンク・フレーム送信機５４５−ａのすべてまたは一部は、送信機５３０−ａに組み込まれ得る。
【００６０】
[0071]  送信マネージャ５３５−ａは、装置１０５−ｂからデータを受信すべき複数の局を識別するために使用され得る。
【００６１】
[0072]  ダウンリンク・フレーム・ジェネレータ５４０−ａは、送信マネージャ５３５−ａによって識別された複数の局にデータを送信するためにダウンリンク・フレームを生成するために使用され得る。ダウンリンク・フレームは、識別された複数の局に向けられる第１のＷＬＡＮシグナリング・フィールド、識別された複数の局に向けられる第２のＷＬＡＮシグナリング・フィールド、アクセス・ポイントからデータを受信するものと識別された複数の局以外の局に（いくつかの場合では、識別された複数の局に）向けられる第２のＷＬＡＮシグナリング・フィールド、レガシＷＬＡＮプリアンブル・フィールド、反復レガシＷＬＡＮシグナリング・フィールド、および／またはデータ・フィールド、を含み得る。ダウンリンク・フレームはまた、ＨＥ−ＳＴＦおよび／またはＨＥ−ＬＴＦを含み得る。第１のＷＬＡＮシグナリング・フィールドは、第１のセグメントおよび／または第２のセグメントを含み得る。いくつかの例では、ダウンリンク・フレームは、図２および／または図３を参照して説明されたダウンリング・フレームの態様を含み得る。
【００６２】
[0073]  第１のＷＬＡＮシグナリング・フィールド・ジェネレータ６０５は、ダウンリンク・フレームのための第１のＷＬＡＮシグナリング・フィールドの第２のセグメントを生成するために使用され得る。第２のセグメントは、少なくとも１つの情報ブロックを含み得る。各情報ブロックは、送信マネージャ５３５−ａによって識別された複数の局の各々に関して別個にエンコードされ得る。いくつかの例では、遅延拡散保護メカニズムは、各々別個にエンコードされた情報ブロックを保護するために使用され得る。いくつかの例では、遅延拡散保護メカニズムは、周波数領域反復、延長されたＧＩ、またはそれらの組み合わせを含み得る。
【００６３】
[0074]  第１のＷＬＡＮシグナリング・フィールド・ジェネレータ６０５はまた、ダウンリンク・フレームのための第１のＷＬＡＮシグナリング・フィールドの第１のセグメントを生成するために使用され得る。第１のセグメントは、送信マネージャ５３５−ａによって識別された複数の局の各々に共通の情報（例えば、別個にエンコードされた情報ブロックを復号するために、識別された複数の局によって使用可能である情報）を含み得る。いくつかの例では、第１のＷＬＡＮシグナリング・フィールド・ジェネレータ６０５は、識別された複数の局の各々に共通の情報を複製し、複製された情報が共有無線周波数スペクトル帯域の複数のサブバンドの各々において送信されることができるようにし得る。
【００６４】
[0075]  第２のＷＬＡＮシグナリング・フィールド・ジェネレータ６１０は、ダウンリンク・フレームのための第２のＷＬＡＮシグナリング・フィールドを生成するために使用され得る。第２のＷＬＡＮシグナリング・フィールドは、送信マネージャ５３５−ａによって識別された複数の局以外の局によって使用可能である情報（いくつかの場合では、識別された複数の局によって使用可能である情報）を含み得る。いくつかの例では、第２のＷＬＡＮシグナリング・フィールドは、帯域幅情報をシグナリングし得、その帯域幅情報は、第１のシグナリング・フィールドにおいて別個にエンコードされた情報ブロック（例えば、局を対象とした別個にエンコードされた情報ブロック）を識別するために局によって使用され得る。いくつかの例では、第２のＷＬＡＮシグナリング・フィールドは、第１のＷＬＡＮシグナリング・フィールドから別個にエンコードされ得る。いくつかの例では、同じ遅延拡散保護メカニズムが、第２のＷＬＡＮシグナリング・フィールドおよび第１のＷＬＡＮシグナリング・フィールドの第１のセグメントの各々において使用され得る。同じ遅延拡散保護メカニズムは、例えば、時間領域反復、または周波数領域反復、またはそれらの組み合わせを含み得る。
【００６５】
[0076]  いくつかの例では、第１のＷＬＡＮシグナリング・フィールド・ジェネレータ６０５および／または第２のＷＬＡＮシグナリング・フィールド・ジェネレータ６１０は、第１のＷＬＡＮシグナリング・フィールドの第１のセグメント、第１のＷＬＡＮシグナリング・フィールドの第２のセグメント、第２のＷＬＡＮシグナリング・フィールド、またはそれらの組み合わせを生成するときに、テール・バイティング畳み込み符号化を使用し得る。
【００６６】
[0077]  レガシＷＬＡＮプリアンブル・ジェネレータ６１５は、ダウンリンク・フレームのためのレガシＷＬＡＮプリアンブル・フィールドを生成するために使用され得る。いくつかの例では、レガシＷＬＡＮプリアンブル・フィールドは、Ｌ−ＳＴＦ情報、Ｌ−ＬＴＦ情報、および／またはレガシ・シグナリング情報を含み得る。レガシ・シグナリング情報は、遅延拡散保護メカニズムが第１のＷＬＡＮシグナリング・フィールドの第１のセグメントにおいて使用されるかどうかを指示し得る。
【００６７】
[0078]  データ・フィールド・ジェネレータ６２０は、ダウンリンク・フレームのためのデータ・フィールドを生成するために使用され得る。データ・フィールドは、送信マネージャ５３５−ａによって識別された複数の局の各々に関わるデータを含み得る。
【００６８】
[0079]  ダウンリンク・フレーム送信機５４５−ａは、ダウンリンク・フレーム・ジェネレータ５４０−ａによって生成されるダウンリンク・フレームを送信マネージャ５３５−ａによって識別された複数の局に送信するために使用され得る。ダウンリンク・フレームは、送信機５３０−ａを介して送信され得る。いくつかの例では、ダウンリンク・フレームを送信することは、共有無線周波数スペクトル帯域の１つのサブバンドにおいて、および／または、第１のＷＬＡＮシグナリング・フィールドの１つのＯＦＤＭシンボル内で、各々別個にエンコードされた情報ブロックを送信することを含み得る。いくつかの例では（例えば、高次のＭＣＳがＯＦＤＭシンボルに対して使用される場合）、少なくとも２つの別個にエンコードされた情報ブロックが、同じＯＦＤＭシンボルおよびサブバンドにおいて送信され得る。いくつかの例では、ダウンリンク・フレームを送信することは、データ・フィールドにおいて識別された複数の局の各々にデータを送信することを含み得、局に関して別個にエンコードされた情報ブロックおよびデータは、共有無線周波数スペクトル帯域の同じサブバンドにおいて送信される。いくつかの例では、ダウンリンク・フレームのフィールドは、次の順番で送信され得る、レガシＷＬＡＮプリアンブル・フィールド、反復レガシＷＬＡＮシグナリング・フィールド、第２のＷＬＡＮシグナリング・フィールド、第１のＷＬＡＮシグナリング・フィールド、ＨＥ−ＳＴＦ、ＨＥ−ＬＴＦ、データ・フィールド。
【００６９】
[0080]  いくつかの実施形態では、第１のＷＬＡＮシグナリング・フィールドは、第１のＭＣＳに関連付けされた第１のＯＦＤＭシンボルと、第１のＭＣＳとは異なる第２のＭＣＳに関連付けされた第２のＯＦＤＭシンボルとを含み得る。これらの実施形態では、ダウンリンク・フレーム送信機５４５−ａは、第１のＯＦＤＭシンボルに、第１の局に関する第１の別個にエンコードされた情報ブロック（すなわち、第１のＭＣＳを使用して送信される情報ブロック）をマッピングし、第２のＯＦＤＭシンボルに、第２の局に関する第２の別個にエンコードされた情報ブロック（すなわち、第２のＭＣＳを使用して送信される情報ブロック）をマッピングし得る。いくつかの場合では、他の局に関して別個にエンコードされた情報ブロックはまた、第１のＯＦＤＭシンボル、または第２のＯＦＤＭシンボルに、マッピングされ得る。いくつかの場合では、第１のＷＬＡＮシグナリング・フィールドは、追加のＯＦＤＭシンボルを含み得、追加のＯＦＤＭシンボルの各々は、第１のＭＣＳ、第２のＭＣＳ、または少なくとも１つの追加のＭＣＳに関連付けされている。いくつかの例では（例えば、高次のＭＣＳがＯＦＤＭシンボルに対して使用される場合）、少なくとも２つの別個にエンコードされた情報ブロックが、単一のＯＦＤＭシンボルおよびサブバンドにマッピングされ得る。
【００７０】
[0081]  図７は、本開示のさまざまな態様にしたがって、ワイヤレス通信で使用するための装置１１５−ａのブロック図７００を示す。いくつかの例では、装置１１５−ａは、図１に関連して説明された局１１５の態様の例であり得る。装置１１５−ａはまた、プロセッサ（図示せず）であり得るか、それを含み得る。装置１１５−ａは、受信機７１０、局ワイヤレス通信マネージャ７２０−ａ、および／または送信機７３０を含み得る。これらのコンポーネントの各々は、互いと通信状態にあり得る。
【００７１】
[0082]  装置１１５−ａのコンポーネントは、個々にまたは集合的に、ハードウェア中で適用可能な機能のうちのいくつかまたは全てを実施するように適合された少なくとも１つのＡＳＩＣを使用してインプリメントされ得る。代替として、機能は、少なくとも１つの集積回路上で、少なくとも１つの他の処理ユニット（またはコア）によって実施され得る。他の例では、他のタイプの集積回路（例えば、ストラクチャード／プラットフォームＡＳＩＣ、ＦＰＧＡ、ＳｏＣ、および／または他のタイプのセミカスタムＩＣ）が使用され得、それらは、当該技術において知られている任意の方式でプログラムされ得る。各コンポーネントの機能はまた、全体的にあるいは部分的に、メモリ内に統合される命令でインプリメントされ、少なくとも１つの汎用および／または特定用途向けのプロセッサによって実行されるようにフォーマットされ得る。
【００７２】
[0083]  いくつかの例では、受信機７１０は、少なくとも１つのＲＦ受信機を含み得る。受信機７１０および／またはＲＦ受信機は、図１を参照して説明されたＷＬＡＮネットワーク１００の少なくとも１つの通信リンクのようなワイヤレス通信システムの少なくとも１つの通信リンクを通じてさまざまなタイプのデータおよび／または制御信号（すなわち、送信）を受信するために使用され得る。
【００７３】
[0084]  いくつかの例では、送信機７３０は、少なくとも１つのＲＦ送信機を含み得る。送信機７３０またはＲＦ送信機は、図１を参照して説明されたＷＬＡＮネットワーク１００の少なくとも１つの通信リンクのようなワイヤレス通信システムの少なくとも１つの通信リンクを通じてさまざまなタイプのデータおよび／または制御信号（すなわち、送信）を送信するために使用され得る。
【００７４】
[0085]  いくつかの例では、局ワイヤレス通信マネージャ７２０−ａは、装置１１５−ａのためのワイヤレス通信の少なくとも１つの態様を管理するために使用され得る。局ワイヤレス通信マネージャ７２０−ａは、ダウンリンク・フレーム・デコーダ７３５を含み得る。いくつかの例では、ダウンリンク・フレーム・デコーダ７３５のすべてまたは一部は、受信機７１０に組み込まれ得る。
【００７５】
[0086]  ダウンリンク・フレーム・デコーダ７３５は、共有無線周波数スペクトル帯域においてダウンリンク・フレームを受信するために使用され得る。ダウンリンク・フレームは、少なくとも第１のＷＬＡＮシグナリング・フィールドおよび第２のＷＬＡＮシグナリング・フィールドを含み得る。第１のＷＬＡＮシグナリング・フィールドおよび第２のＷＬＡＮシグナリング・フィールドは、別個にエンコードされ得る。第２のＷＬＡＮシグナリング・フィールドは、複数の局に共通の情報を有する第１のセグメント、および、複数の局の各々に関して別個にエンコードされた情報ブロックを有する第２のセグメントを含み得る。いくつかの例では、ダウンリンク・フレームは、図２および／または図３を参照して説明されたダウンリング・フレームの態様を含み得る。ダウンリンク・フレーム・デコーダ７３５は、第２のＷＬＡＮシグナリング・フィールドの第１のセグメントにおいて受信される情報を使用して局に関して別個にエンコードされた情報ブロックを復号するために使用され得る。いくつかの例では、ダウンリンク・フレーム・デコーダ７３５はまた、第１のＷＬＡＮシグナリング・フィールドにおいて受信される情報を使用して別個にエンコードされた情報ブロックを復号し得る。
【００７６】
[0087]  図８を参照すると、図２乃至４に関して前述されたＷＬＡＮフレームを含めて、ＩＥＥＥ８０２．１１規格にしたがったＷＬＡＮフレームを送り且つ受信し、ならびにこのようなフレームをエンコードおよび復号するためのＡＰ１０５−ｃを例示する図８００が、示されている。いくつかの態様では、ＡＰ１０５−ｃは、図１、５、および６の装置１０５またはＡＰの例であり得る。ＡＰ１０５−ｃは、ＡＰプロセッサ８１０、ＡＰメモリ８２０、少なくとも１つのＡＰトランシーバ８３０、および／または少なくとも１つのＡＰアンテナ８４０、および／またはＡＰワイヤレス通信マネージャ５２０−ｃを含み得る。ＡＰワイヤレス通信マネージャ５２０−ｃは、図１、５、および６のＡＰワイヤレス通信マネージャ（またはワイヤレス通信マネージャ）の例であり得る。いくつかの例では、ＡＰ １０５−ｃはまた、ＡＰ通信モジュール８６０およびネットワーク通信モジュール８７０のうちの一方または両方を含み得る。これらのモジュールの各々は、少なくとも１つのバス８０５を介して、間接的に、または直接、互いと通信状態にあり得る。
【００７７】
[0088]  ＡＰメモリ８２０は、ランダム・アクセス・メモリ（ＲＡＭ）および／または読取専用メモリ（ＲＯＭ）を含み得る。メモリ８２０はまた、実行されるとき、ＡＰプロセッサ８１０に、ダウンリンク・フレームの生成および／または送信、および／またはアップリンク・フレームの受信を含む、ワイヤレス通信のための本書に説明されているさまざまな機能を実施させ得る命令を包含するコンピュータ可読、コンピュータ実行可能ソフトウェア（ＳＷ）コード８２５を記憶し得る。代替として、ソフトウェア・コード８２５は、ＡＰプロセッサ８１０によって直接実行可能ではない場合もあるが、例えば、コンパイルおよび実行されるとき、ＡＰ１０５−ｃに、本書に説明されている機能を実施させ得る。
【００７８】
[0089]  ＡＰプロセッサ８１０は、インテリジェント・ハードウェア・デバイス、例えば、中央処理ユニット（ＣＰＵ）、マイクロコントローラ、ＡＳＩＣなどを含み得る。ＡＰプロセッサ８１０は、ＡＰトランシーバ８３０、ＡＰ通信モジュール８６０、および／またはＡＰネットワーク通信モジュール８７０を通じて受信された情報を処理し得る。ＡＰプロセッサ８１０はまた、ＡＰアンテナ８４０を通じた送信のために（１つまたは複数の）ＡＰトランシーバ８３０に、ＡＰ通信モジュール８６０に、および／またはＡＰネットワーク通信モジュール８７０に送られる情報を処理し得る。ＡＰプロセッサ８１０は、ＡＰワイヤレス通信マネージャ５２０−ｃと関連して、または単独で、ダウンリンク・フレームを生成および／または送信すること、および／またはアップリンク・フレームを受信することに関わるさまざまな態様を処理し得る。
【００７９】
[0090]  ＡＰトランシーバ８３０は、パケットを変調し、変調されたパケットを送信のためにＡＰアンテナ８４０に提供し、ＡＰアンテナ８４０から受信されたパケットを復調するためのモデムを含み得る。ＡＰトランシーバ８３０は、少なくとも１つの送信機および少なくとも１つの別個の受信機としてインプリメントされ得る。ＡＰトランシーバ８３０は、例えば、図１に例示されるように、少なくとも１つの局１１５と、ＡＰアンテナ８４０を介して、双方向に通信し得る。ＡＰ１０５−ｃは、典型的に、複数のＡＰアンテナ８４０（例えば、アンテナ・アレイ）を含み得る。ＡＰ１０５−ｃは、ＡＰネットワーク通信モジュール８７０を通じてコア・ネットワーク８８０と通信し得る。ＡＰ１０５−ｃは、ＡＰ通信モジュール８６０を使用して、ＡＰ１０５−ｄおよび／またはＡＰ１０５−ｅなどの、他のＡＰと通信し得る。
【００８０】
[0091]  ＡＰワイヤレス通信マネージャ５２０−ｃは、図１のＷＬＡＮネットワーク１００において例示されるように、局および／または他のデバイスとの通信を管理し得る。ＡＰワイヤレス通信マネージャ５２０−ｃは、少なくとも１つのバス８０５を介してＡＰ１０５−ｃの他のコンポーネントのいくつかまたはすべてと通信状態にあるＡＰ１０５−ｃのコンポーネントであり得る。代替として、ＡＰワイヤレス通信マネージャ５２０−ｃの機能は、ＡＰトランシーバ８３０のコンポーネントとして、コンピュータ・プログラム製品として、および／またはＡＰプロセッサ８１０の少なくとも１つのコントローラ要素としてインプリメントされ得る。
【００８１】
[0092]  ＡＰ１０５−ｃのコンポーネントは、図１乃至６を参照して前述された態様をインプリメントし得、それらの態様は、簡潔にするためにここでは繰り返されない。さらに、ＡＰ１０５−ｃのコンポーネントは、図１０および１１を参照して前述された態様をインプリメントし得、それらの態様は、同様に、簡潔にするためにここでは繰り返されない。
【００８２】
[0093]  図９を参照すると、図２乃至４に関して前述されたＷＬＡＮフレームを含めて、ＩＥＥＥ８０２．１１規格にしたがったＷＬＡＮフレームを送り且つ受信し、ならびにこのようなフレームをエンコードおよび復号するための局１１５−ｂを例示する図９００が、示されている。局１１５−ｂは、さまざまな他の構成を有し得、パーソナル・コンピュータ（例えば、ラップトップ・コンピュータ、ネットブック・コンピュータ、タブレット・コンピュータなど）、セルラ電話、ＰＤＡ、デジタル・ビデオ・レコーダ（ＤＶＲ）、インターネット・アプライアンス、ゲーミング・コンソール、電子リーダなどを含み得るか、またはその一部であり得る。局１１５−ｂは、モバイル動作を容易にするために、小型バッテリのような（図示されていない）内部電源を有し得る。局１１５−ｂは、図１および７の局または装置１１５の例であり得る。
【００８３】
[0094]  局１１５−ｂは、局プロセッサ９１０、局メモリ９２０、少なくとも１つの局トランシーバ９４０、少なくとも１つの局アンテナ９５０、および／または局ワイヤレス通信マネージャ７２０−ｂを含み得る。局ワイヤレス通信マネージャ７２０−ｂは、図１および７の局ワイヤレス通信マネージャ７２０の例であり得る。これらのモジュールの各々は、少なくとも１つのバス９０５を介して、間接的に、または直接、互いと通信状態にあり得る。
【００８４】
[0095]  局メモリ９２０は、ＲＡＭおよび／またはＲＯＭを含み得る。局メモリ９２０は、実行されるとき、局プロセッサ９１０に、ダウンリンク・フレームの受信、および／または、アップリンク・フレームの生成および／または送信を含む、ワイヤレス通信のための本書に説明されているさまざまな機能を実施させ得る命令を包含するコンピュータ可読、コンピュータ実行可能ＳＷコード９２５を記憶し得る。代替として、ソフトウェア・コード９２５は、局プロセッサ９１０によって直接実行可能ではない場合あるが、局１１５−ｂに、（例えば、コンパイルおよび実行されるとき、）本書に説明されている機能を実施させ得る。
【００８５】
[0096]  局プロセッサ９１０は、インテリジェント・ハードウェア・デバイス（例えば、ＣＰＵ、マイクロコントローラ、ＡＳＩＣなど）を含み得る。局プロセッサ９１０は、局アンテナ９５０を通じた送信のために局トランシーバ９４０に送られる情報、および／または局トランシーバ９４０を通じて受信された情報を処理し得る。局プロセッサ９１０は、局ワイヤレス通信マネージャ７２０−ｂと関連して、または単独で、ダウンリンク・フレームを受信すること、および／または、アップリンク・フレームを生成および／または送信することに関わるさまざまな態様を処理し得る。
【００８６】
[0097]  局トランシーバ９４０は、例えば、図１に例示されるように、少なくとも１つのＡＰ１０５と、局アンテナ９５０を介して、双方向に通信し得る。局トランシーバ９４０は、少なくとも１つの送信機および少なくとも１つの別個の受信機としてインプリメントされ得る。局トランシーバ９４０は、パケットを変調し、変調されたパケットを送信のために局アンテナ９５０に提供し、局アンテナ９５０から受信されたパケットを復調するためのモデムを含み得る。局１１５−ｂは単一のアンテナを含み得るが、局１１５−ｂが複数の局アンテナ９５０を含み得る態様が存在し得る。
【００８７】
[0098]  局ワイヤレス通信マネージャ７２０−ｂは、図１のＷＬＡＮネットワーク１００において例示されるように、ＡＰおよび／または他のデバイスとの通信を管理し得る。局ワイヤレス通信マネージャ７２０−ｂは、少なくとも１つのバス９０５を介して局１１５−ｂの他のコンポーネントのいくつかまたはすべてと通信状態にある局１１５−ｂのコンポーネントであり得る。代替として、局ワイヤレス通信マネージャ７２０−ｂの機能は、局トランシーバ９４０のコンポーネントとして、コンピュータ・プログラム製品として、および／または局プロセッサ９１０の少なくとも１つのコントローラ要素としてインプリメントされ得る。
【００８８】
[0099]  局１１５−ｂのコンポーネントは、図１乃至４および７に関して前述された態様をインプリメントし得、それらの態様は、簡潔にするためにここでは繰り返されない。さらに、局１１５−ｂのコンポーネントは、図１２に関して以下で説明される態様をインプリメントし得、これらの態様もまた、簡潔にするためにここでは繰り返されない。
【００８９】
[0100]  図１０は、本開示のさまざまな態様にしたがった、ワイヤレス通信のための方法１０００の例を例示するフロー・チャートである。明確にするために、方法１０００は、図１、５、６および８を参照して説明されたアクセス・ポイントまたは装置１０５の態様を参照して、以下に説明される。いくつかの例において、アクセス・ポイントおよび／または装置は、以下に説明される機能を実施するためにアクセス・ポイントおよび／または装置の機能的な要素を制御するためのコードのセットを実行し得る。さらに、または代替として、アクセス・ポイントおよび／または装置は、専用ハードウェアを使用して以下に説明される機能を実施し得る。
【００９０】
[0101]  ブロック１００５において、方法１０００は、アクセス・ポイントからデータを受信すべき複数の局を識別することを含み得る。ブロック１０１０において、方法１０００は、識別された複数の局にデータを送信するために、ダウンリンク・フレームを生成することを含み得る。ダウンリンク・フレームは、識別された複数の局に向けられる第１のシグナリング・フィールド（例えば、ＷＬＡＮシグナリング・フィールド）を含み得る。第１のシグナリング・フィールドは、第１のセグメントおよび／または第２のセグメントを含み得る。第１のセグメントは、識別された複数の局の各々に共通の情報を含み得る。第２のセグメントは、少なくとも１つの情報ブロックを含み得る。ブロック１０１５において、方法１０００は、識別された複数の局にダウンリンク・フレームを送信することを含み得る。
【００９１】
[0102]  ブロック１００５、１０１０および１０１５における動作は、例えば、図１、５、６、または８を参照して説明されたワイヤレス通信マネージャ５２０を使用して、実施され得る。いくつかの例では、ダウンリンク・フレームは、図２および／または図３を参照して説明されたダウンリング・フレームの態様を含み得る。
【００９２】
[0103]  かくして、方法１０００は、ワイヤレス通信を提供し得る。方法１０００は、単に１つのインプリメンテーションに過ぎず、方法１０００の動作は、他のインプリメンテーションが可能になるように、再配置またはそうでない場合は修正され得ることが留意されるべきである。
【００９３】
[0104]  図１１は、本開示のさまざまな態様にしたがって、ワイヤレス通信のための方法１１００の例を例示するフロー・チャートである。明確にするために、方法１１００は、図１、５、６および８を参照して説明されたアクセス・ポイントまたは装置１０５の態様を参照して、以下に説明される。いくつかの例において、アクセス・ポイントおよび／または装置は、以下に説明される機能を実施するためにアクセス・ポイントおよび／または装置の機能的な要素を制御するためのコードのセットを実行し得る。さらに、または代替として、アクセス・ポイントおよび／または装置は、専用ハードウェアを使用して以下に説明される機能を実施し得る。
【００９４】
[0105]  ブロック１１０５において、方法１１００は、アクセス・ポイントからデータを受信すべき複数の局を識別することを含み得る。
【００９５】
[0106]  ブロック１１１０において、方法１１００は、識別された複数の局にデータを送信するために、ダウンリンク・フレームを生成することを含み得る。ダウンリンク・フレームは、識別された複数の局に向けられる第１のＷＬＡＮシグナリング・フィールド、アクセス・ポイントからデータを受信するものと識別された複数の局以外の局に（いくつかの場合では、識別された複数の局に）向けられる第２のＷＬＡＮシグナリング・フィールド、レガシＷＬＡＮプリアンブル・フィールド、反復レガシＷＬＡＮシグナリング・フィールド、および／またはデータ・フィールド、を含み得る。ダウンリンク・フレームはまた、ＨＥ−ＳＴＦおよび／またはＨＥ−ＬＴＦを含み得る。第１のＷＬＡＮシグナリング・フィールドは、第１のセグメントおよび／または第２のセグメントを含み得る。
【００９６】
[0107]  ブロック１１１５において、方法１１００は、第１のＷＬＡＮシグナリング・フィールドの第２のセグメントを生成することを含み得る。第２のセグメントは、少なくとも１つの情報ブロックを含み得る。各情報ブロックは、識別された複数の局の各々に関して別個にエンコードされ得る。いくつかの例では、遅延拡散保護メカニズムは、各々別個にエンコードされた情報ブロックを保護するために使用され得る。いくつかの例では、遅延拡散保護メカニズムは、周波数領域反復、延長されたＧＩ、またはそれらの組み合わせを含み得る。
【００９７】
[0108]  ブロック１１２０において、方法１１００は、第１のＷＬＡＮシグナリング・フィールドの第１のセグメントを生成することを含み得る。第１のセグメントは、識別された複数の局の各々に共通の情報（例えば、別個にエンコードされた情報ブロックを復号するために、識別された複数の局によって使用可能である情報）を含み得る。いくつかの例では、ブロック１１２０における（１つまたは複数の）動作は、識別された複数の局の各々に共通の情報を複製することを含み、複製された情報が共有無線周波数スペクトル帯域の複数のサブバンドの各々において送信されることができるようにし得る。
【００９８】
[0109]  ブロック１１２５において、方法１１００は、第２のＷＬＡＮシグナリング・フィールドを生成することを含み得る。第２のＷＬＡＮシグナリング・フィールドは、識別された複数の局以外の局によって使用可能である情報（いくつかの場合では、識別された複数の局によって使用可能である情報）を含み得る。いくつかの例では、第２のＷＬＡＮシグナリング・フィールドは、帯域幅情報をシグナリングし得、その帯域幅情報は、第１のシグナリング・フィールドにおいて別個にエンコードされた情報ブロック（例えば、局を対象とした別個にエンコードされた情報ブロック）を識別するために局によって使用され得る。いくつかの例では、第２のＷＬＡＮシグナリング・フィールドは、第１のＷＬＡＮシグナリング・フィールドから別個にエンコードされ得る。いくつかの例では、同じ遅延拡散保護メカニズムが、第２のＷＬＡＮシグナリング・フィールドおよび第１のＷＬＡＮシグナリング・フィールドの第１のセグメントの各々において使用され得る。同じ遅延拡散保護メカニズムは、例えば、時間領域反復、周波数領域反復、またはそれらの組み合わせを含み得る。
【００９９】
[0110]  いくつかの例では、テール・バイティング畳み込み符号化が、第１のＷＬＡＮシグナリング・フィールドの第１のセグメントにおいて、第１のＷＬＡＮシグナリング・フィールドの第２のセグメントにおいて、第２のＷＬＡＮシグナリング・フィールドにおいて、またはそれらの組み合わせにおいて、使用され得る。
【０１００】
[0111]  ブロック１１３０において、方法１１００は、レガシＷＬＡＮプリアンブル・フィールドを生成することを含み得る。いくつかの例では、レガシＷＬＡＮプリアンブル・フィールドは、Ｌ−ＳＴＦ情報、Ｌ−ＬＴＦ情報、および／またはレガシ・シグナリング情報を含み得る。レガシ・シグナリング情報は、遅延拡散保護メカニズムが第１のＷＬＡＮシグナリング・フィールドの第１のセグメントにおいて使用されるかどうかを指示し得る。
【０１０１】
[0112]  ブロック１１３５において、方法１１００は、データ・フィールドを生成することを含み得る。データ・フィールドは、識別された複数の局の各々に関わるデータを含み得る。
【０１０２】
[0113]  ブロック１１４０において、方法１１００は、識別された複数の局にダウンリンク・フレームを送信することを含み得る。いくつかの例では、送信することは、共有無線周波数スペクトル帯域の１つのサブバンドにおいて、および／または、第１のＷＬＡＮシグナリング・フィールドの１つのＯＦＤＭシンボル内で別個にエンコードされた情報ブロックの各々を送信することを含み得る。いくつかの例では（例えば、高次のＭＣＳがＯＦＤＭシンボルに対して使用される場合）、少なくとも２つの別個にエンコードされた情報ブロックが、同じＯＦＤＭシンボルおよびサブバンドにおいて送信され得る。いくつかの例では、送信することは、データ・フィールドにおいて識別された複数の局の各々にデータを送信することを含み得、局に関して別個にエンコードされた情報ブロックおよびデータは、共有無線周波数スペクトル帯域の同じサブバンドにおいて送信される。いくつかの例では、ダウンリンク・フレームのフィールドは、次の順番で送信され得る、レガシＷＬＡＮプリアンブル・フィールド、反復レガシＷＬＡＮシグナリング・フィールド、第２のＷＬＡＮシグナリング・フィールド、第１のＷＬＡＮシグナリング・フィールド、ＨＥ−ＳＴＦ、ＨＥ−ＬＴＦ、データ・フィールド。
【０１０３】
[0114]  いくつかの実施形態では、第１のＷＬＡＮシグナリング・フィールドは、第１のＭＣＳに関連付けされた第１のＯＦＤＭシンボルと、第１のＭＣＳとは異なる第２のＭＣＳに関連付けされた第２のＯＦＤＭシンボルとを含み得る。これらの実施形態では、方法１１００は、第１のＯＦＤＭシンボルに、第１の局に関する第１の別個にエンコードされた情報ブロック（すなわち、第１のＭＣＳを使用して送信される情報ブロック）をマッピングすることと、第２のＯＦＤＭシンボルに、第２の局に関する第２の別個にエンコードされた情報ブロック（すなわち、第２のＭＣＳを使用して送信される情報ブロック）をマッピングすることと、を含み得る。いくつかの場合では、他の局に関して別個にエンコードされた情報ブロックはまた、第１のＯＦＤＭシンボル、または第２のＯＦＤＭシンボルに、マッピングされ得る。いくつかの場合では、第１のＷＬＡＮシグナリング・フィールドは、追加のＯＦＤＭシンボルを含み得、追加のＯＦＤＭシンボルの各々は、第１のＭＣＳ、第２のＭＣＳ、または少なくとも１つの追加のＭＣＳに関連付けされている。いくつかの例では（例えば、高次のＭＣＳがＯＦＤＭシンボルに対して使用される場合）、少なくとも２つの別個にエンコードされた情報ブロックが、単一のＯＦＤＭシンボルおよびサブバンドにマッピングされ得る。
【０１０４】
[0115]  ブロック１１０５、１１１０、１１１５、１１２０、１１２５、１１３０、１１３５、および１１４０における動作は、例えば、図１、５、６、または８を参照して説明されたワイヤレス通信マネージャ５２０を使用して、実施され得る。いくつかの例では、ダウンリンク・フレームは、図２および／または図３を参照して説明されたダウンリング・フレームの態様を含み得る。
【０１０５】
[0116]  かくして、方法１１００は、ワイヤレス通信を提供し得る。方法１１００は、単に１つのインプリメンテーションに過ぎず、方法１１００の動作は、他のインプリメンテーションが可能になるように、再配置またはそうでない場合は修正され得ることが留意されるべきである。
【０１０６】
[0117]  図１２は、本開示のさまざまな態様にしたがって、ワイヤレス通信のための方法１２００の例を例示するフロー・チャートである。明確にするために、方法１２００は、図１、７および９を参照して説明された局または装置１１５の態様を参照して、以下に説明される。いくつかの例では、局および／または装置は、以下に説明される機能を実施するために局および／または装置の機能的な要素を制御するためのコードのセットを実行し得る。さらに、または代替として、局および／または装置は、専用ハードウェアを使用して以下に説明される機能を実施し得る。
【０１０７】
[0118]  ブロック１２０５において、方法１２００は、共有無線周波数スペクトル帯域においてダウンリンク・フレームを受信することを含み得る。ダウンリンク・フレームは、少なくとも第１のＷＬＡＮシグナリング・フィールドおよび第２のＷＬＡＮシグナリング・フィールドを含み得る。第１のＷＬＡＮシグナリング・フィールドおよび第２のＷＬＡＮシグナリング・フィールドは、別個にエンコードされ得る。第２のＷＬＡＮシグナリング・フィールドは、複数の局に共通の情報を有する第１のセグメント、および、複数の局の各々に関して別個にエンコードされた情報ブロックを有する第２のセグメントを含み得る。ブロック１２１０において、方法１２００は、第２のＷＬＡＮシグナリング・フィールドの第１のセグメントにおいて受信される情報を使用して局に関して別個にエンコードされた情報ブロックを復号することを含み得る。いくつかの例において、別個にエンコードされた情報ブロックはまた、第１のＷＬＡＮシグナリング・フィールドにおいて受信される情報を使用して復号され得る。
【０１０８】
[0119]  ブロック１２０５および１２１０における動作は、例えば、図１、７または９を参照して説明された局ワイヤレス通信マネージャ７２０を使用して、実施され得る。いくつかの例では、ダウンリンク・フレームは、図２および／または図３を参照して説明されたダウンリング・フレームの態様を含み得る。
【０１０９】
[0120]  かくして、方法１２００は、ワイヤレス通信を提供し得る。方法１２００は、単に１つのインプリメンテーションに過ぎず、方法１２００の動作は、他のインプリメンテーションが可能になるように、再配置またはそうでない場合は修正され得ることが留意されるべきである。
【０１１０】
[0121]  添付された図面に関連して上述された詳細な説明は、例を説明しており、インプリメントされ得るまたは特許請求の範囲の範囲内にある全ての例を表してはいない。「例（example）」、「例証的（exemplary）」という用語は、本説明中で使用されるとき、「例、事例、または例示としての役割を果たす」ことを意味し、「好ましい」または「他の例に対して有利である」ことを意味しない。詳細な説明は、説明された技術の理解を提供する目的で具体的な詳細を含む。しかしながら、これらの技術は、これらの具体的な詳細なしに実現され得る。いくつかの事例において、良く知られている構造および装置は、説明された例の概念を曖昧にすることを避けるために、ブロック図形式で示される。
【０１１１】
[0122]  情報および信号は、多様な異なる技術および技法のうちの任意のものを使用して表わされ得る。例えば、上記の説明全体を通して参照され得る、データ、命令、コマンド、情報、信号、ビット、シンボル、およびチップは、電圧、電流、電磁波、磁界または磁気粒子、光場または光粒子、もしくはこれらの任意の組み合わせによって表わされ得る。
【０１１２】
[0123]  本書での開示に関連して説明されたさまざまな例示的なブロックおよびコンポーネントは、汎用プロセッサ、デジタル・シグナル・プロセッサ（ＤＳＰ）、ＡＳＩＣ、ＦＰＧＡまたは他のプログラマブル論理デバイス、離散ゲートまたはトランジスタ論理、離散ハードウェア・コンポーネント、あるいは本書で説明された機能を実施するように設計されたそれらの任意の組み合わせを用いてインプリメントまたは実施され得る。汎用プロセッサはマイクロプロセッサであり得るが、代替として、プロセッサは任意の従来のプロセッサ、コントローラ、マイクロコントローラ、またはステート・マシンであり得る。プロセッサはまた、コンピューティング・デバイスの組み合わせ、例えば、ＤＳＰとマイクロプロセッサの組み合わせ、複数のマイクロプロセッサ、ＤＳＰコアと連携した少なくとも１つのマイクロプロセッサ、またはその他任意のこのような構成としてインプリメントされ得る。
【０１１３】
[0124]  ここで説明された機能は、ハードウェア、プロセッサによって実行されるソフトウェア、ファームウェア、またはこれらの任意の組み合わせでインプリメントされ得る。プロセッサによって実行されるソフトウェアにインプリメントされる場合、これらの機能は、コンピュータ可読媒体上で、命令またはコードとして送信または記憶され得る。他の例およびインプリメンテーションは、本開示および特許請求の範囲内にある。例えば、ソフトウェアの本質により、上記で説明された機能は、プロセッサによって実行されるソフトウェア、ハードウェア、ファームウェア、ハードワイヤリング、またはこれらの任意の組み合わせを使用してインプリメントされることができる。機能をインプリメントする特徴はまた、さまざまな位置において物理的に配置され得、それは、機能の一部が異なる物理的な位置においてインプリメントされるように分配されることを含む。請求項を含む本書で使用される場合、「および／または」という用語は、２つ以上の項目からなるリストで使用されるとき、リストされた項目のうちのいずれか１つが単独で採用されることができること、または、リストされた項目のうちの２つ以上からなる任意の組み合わせが採用されることができることを意味する。例えば、ある構成が、コンポーネントＡ、Ｂ、および／またはＣを含むものとして説明されている場合、この構成は、Ａだけ、Ｂだけ、Ｃだけ、ＡとＢの組み合わせ、ＡとＣの組み合わせ、ＢとＣの組み合わせ、またはＡとＢとＣの組み合わせを含むことができる。また、請求項を含む本書で使用される場合、項目のリスト（例えば、「のうちの少なくとも１つ」のようなフレーズで始まる項目のリスト）において使用されるような「または（or）」は、例えば「Ａ、Ｂ、またはＣ」のリストが、Ａ、またはＢ、またはＣ、またはＡＢ、またはＡＣ、またはＢＣ、またはＡＢＣ（すなわち、ＡおよびＢおよびＣ）を意味するような離接的なリスト（disjunctive list）を示す。
【０１１４】
[0125]  コンピュータ可読媒体は、ある場所から別の場所へのコンピュータ・プログラムの転送を容易にする任意の媒体を含む通信媒体とコンピュータ記憶媒体との両方を含む。記憶媒体は、汎用または特殊用途コンピュータによってアクセスされることができる任意の利用可能な媒体であり得る。限定ではなく例として、コンピュータ可読媒体は、ＲＡＭ、ＲＯＭ、ＥＥＰＲＯＭ（登録商標）、フラッシュ・メモリ、ＣＤ−ＲＯＭまたは他の光ディスク記憶装置、磁気ディスク記憶装置または他の磁気記憶デバイス、あるいは命令またはデータ構造の形態で所望のプログラム・コード手段を搬送または記憶するために使用されることができ、汎用または特殊用途コンピュータ、もしくは汎用または特殊用途プロセッサによってアクセスされることができる任意の他の媒体を備えることができる。また、任意の接続は、厳密にはコンピュータ可読媒体と称される。例えば、ソフトウェアが、同軸ケーブル、光ファイバー・ケーブル、ツイスト・ペア、デジタル加入者回線（ＤＳＬ）、または赤外線、無線、およびマイクロ波のようなワイヤレス技術を使用して、ウェブサイト、サーバ、またはその他の遠隔ソースから送信される場合、同軸ケーブル、光ファイバー・ケーブル、ツイスト・ペア、ＤＳＬ、または赤外線、無線、およびマイクロ波のようなワイヤレス技術は、媒体の定義に含まれる。ディスク（disk）およびディスク（disc）は、本書で使用される場合、コンパクト・ディスク（ＣＤ）（disc）、レーザー・ディスク（disc）、光ディスク（disc）、デジタル多用途ディスク（ＤＶＤ）（disc）、フロッピー（登録商標）ディスク（disk）およびＢｌｕ−ｒａｙ（登録商標）ディスク（disc）を含み、ここで、ディスク（disk）は通常、磁気的にデータを再生し、その一方でディスク（disc）は、レーザーを用いて光学的にデータを再生する。上記の組み合わせもまた、コンピュータ可読媒体の範囲内に含まれる。
【０１１５】
[0126]  本開示の先の説明は、当業者が本開示を製造または使用することを可能にするために提供される。本開示に対するさまざまな修正は、当業者にとって容易に明らかとなり、本書で定義された包括的な原理は、本開示の範囲から逸脱しないで他の変形に適用され得る。本開示全体を通じて、「例（example）」または「例証的（exemplary）」という用語は、例または事例を示し、言及された例についてのいかなる選好または暗示も必要とはしない。かくして、本開示は、ここに説明された例および設計に限定されるべきではなく、ここに開示された原理および新規な特徴と一致する最も広い範囲を与えられるべきである。
以下に本願の出願当初の特許請求の範囲に記載された発明を付記する。
［Ｃ１］
アクセス・ポイントにおけるワイヤレス通信のための方法であって、
前記アクセス・ポイントからデータを受信すべき複数の局を識別することと、
前記識別された複数の局に前記データを送信するためにダウンリンク・フレームを生成することと、前記ダウンリンク・フレームは、前記識別された複数の局に向けられる第１のシグナリング・フィールドを備え、前記第１のシグナリング・フィールドは、第１のセグメントおよび第２のセグメントを備え、前記第１のセグメントは、前記識別された複数の局の各々に共通の情報を備え、前記第２のセグメントは、少なくとも１つの情報ブロックを備える、
前記識別された複数の局に前記ダウンリンク・フレームを送信することと、
を備える、方法。
［Ｃ２］
前記ダウンリンク・フレームを生成することは、前記識別された複数の局の各々に関して各情報ブロックを別個にエンコードすることを備える、Ｃ１に記載の方法。
［Ｃ３］
前記識別された複数の局の各々に共通の前記情報を複製することと、
共有無線周波数スペクトル帯域の複数のサブバンドの各々において前記複製された情報を送信することと、をさらに備える、Ｃ１に記載の方法。
［Ｃ４］
共有無線周波数スペクトル帯域の１つのサブバンドにおいて前記別個にエンコードされた情報ブロックの各々を送信することをさらに備える、Ｃ２に記載の方法。
［Ｃ５］
前記ダウンリンク・フレームは、データ・フィールドを備え、前記方法は、
前記データ・フィールドにおいて前記識別された複数の局の各々に対してデータを送信することをさらに備え、ここにおいて、前記別個にエンコードされた情報ブロックおよび前記データは、共有無線周波数スペクトル帯域の同じサブバンドにおいて送信される、Ｃ２に記載の方法。
［Ｃ６］
前記シグナリング・フィールドは、ワイヤレス・ローカル・エリア・ネットワーク（ＷＬＡＮ）シグナリング・フィールドである、Ｃ１に記載の方法。
［Ｃ７］
前記ダウンリンク・フレームは、前記第１のシグナリング・フィールドから別個にエンコードされる第２のシグナリング・フィールドをさらに備え、前記方法は、
前記第２のシグナリング・フィールドおよび前記第１のシグナリング・フィールドの前記第１のセグメントの各々において同じ遅延拡散保護メカニズムを使用すること、をさらに備える、Ｃ１に記載の方法。
［Ｃ８］
前記同じ遅延拡散保護メカニズムは、時間領域反復、または周波数領域反復、またはそれらの組み合わせを備える、Ｃ７に記載の方法。
［Ｃ９］
前記第１のシグナリング・フィールドの前記第１のセグメントにおいて遅延拡散保護メカニズムの使用を、前記ダウンリンク・フレームのレガシ・シグナリング情報において、指示することをさらに備える、Ｃ１に記載の方法。
［Ｃ１０］
前記第１のシグナリング・フィールドの１つの直交周波数分割多重（ＯＦＤＭ）シンボル内で前記別個にエンコードされた情報ブロックの各々を送信することをさらに備える、Ｃ２に記載の方法。
［Ｃ１１］
共有無線周波数スペクトル帯域の１つのサブバンドにおいて前記別個にエンコードされた情報ブロックの各々を送信することをさらに備える、Ｃ１０に記載の方法。
［Ｃ１２］
別個にエンコードされた情報ブロックが送信される各サブバンドは、２０メガヘルツ（ＭＨｚ）の帯域幅を有する、Ｃ１１に記載の方法。
［Ｃ１３］
少なくとも１つのＯＦＤＭシンボルにおいて少なくとも２つの別個にエンコードされた情報ブロックを送信することをさらに備える、Ｃ１１に記載の方法。
［Ｃ１４］
前記第１のシグナリング・フィールドは、第１の変調および符号化スキーム（ＭＣＳ）に関連付けされた第１のＯＦＤＭシンボルと、前記第１のＭＣＳとは異なる第２のＭＣＳに関連付けされた第２のＯＦＤＭシンボルとを備え、前記方法は、
第１の局に関する第１の別個にエンコードされた情報ブロックを前記第１のＯＦＤＭシンボルにマッピングすることと、
第２の局に関する第２の別個にエンコードされた情報ブロックを前記第２のＯＦＤＭシンボルにマッピングすることと、をさらに備える、Ｃ１０に記載の方法。
［Ｃ１５］
共有無線周波数スペクトル帯域の１つのサブバンドにおいて前記別個にエンコードされた情報ブロックの各々を送信することをさらに備える、Ｃ１４に記載の方法。
［Ｃ１６］
前記第１の別個にエンコードされた情報ブロックは、第１のサブバンドにおいて送信され、前記方法は、
第３の局に関して第３の別個にエンコードされた情報ブロックを、前記第１のＯＦＤＭシンボルおよび前記第１のサブバンドにマッピングすることをさらに備える、Ｃ１５に記載の方法。
［Ｃ１７］
前記第１のシグナリング・フィールドの前記第２のセグメントにおいて各々別個にエンコードされた情報ブロックを保護するために遅延拡散保護メカニズムを使用することをさらに備える、Ｃ２に記載の方法。
［Ｃ１８］
前記遅延拡散保護メカニズムは、周波数領域反復、または延長されたガード・インターバル（ＧＩ）、またはそれらの組み合わせを備える、Ｃ１７に記載の方法。
［Ｃ１９］
局を対象とした前記第１のシグナリング・フィールドにおいて別個にエンコードされた情報ブロックを識別するために前記局によって使用される帯域幅情報を、第２のシグナリング・フィールドにおいて、シグナリングすることを、さらに備える、Ｃ２に記載の方法。
［Ｃ２０］
前記識別された複数の局以外の局によって使用可能である情報を、第２のシグナリング・フィールドにおいて送信することをさらに備える、Ｃ１に記載の方法。
［Ｃ２１］
前記別個にエンコードされた情報ブロックを復号するために前記識別された複数の局によって使用可能である情報を、前記第１のシグナリング・フィールドの前記第１のセグメントにおいて送信することをさらに備える、Ｃ２に記載の方法。
［Ｃ２２］
前記第１のシグナリング・フィールドの前記第１のセグメント、または前記第１のシグナリング・フィールドの前記第２のセグメント、または、第２のシグナリング・フィールド、またはそれらの組み合わせにおいてテール・バイティング畳み込み符号化を使用することを、さらに備える、Ｃ１に記載の方法。
［Ｃ２３］
アクセス・ポイントにおけるワイヤレス通信のための装置であって、
前記アクセス・ポイントからデータを受信すべき複数の局を識別するための手段と、
前記識別された複数の局に前記データを送信するためにダウンリンク・フレームを生成するための手段と、前記ダウンリンク・フレームは、前記識別された複数の局に向けられる第１のシグナリング・フィールドを備え、前記第１のシグナリング・フィールドは、第１のセグメントおよび第２のセグメントを備え、前記第１のセグメントは、前記識別された複数の局の各々に共通の情報を備え、前記第２のセグメントは、少なくとも１つの情報ブロックを備える、
前記識別された複数の局に前記ダウンリンク・フレームを送信するための手段と、備える、装置。
［Ｃ２４］
前記ダウンリンク・フレームを生成するための前記手段は、前記識別された複数の局の各々に関して各情報ブロックを別個にエンコードするための手段を備える、Ｃ２３に記載の装置。
［Ｃ２５］
前記シグナリング・フィールドは、ワイヤレス・ローカル・エリア・ネットワーク（ＷＬＡＮ）シグナリング・フィールドである、Ｃ２３に記載の装置。
［Ｃ２６］
前記識別された複数の局の各々に共通の前記情報を複製するための手段と、
共有無線周波数スペクトル帯域の複数のサブバンドの各々において前記複製された情報を送信するための手段と、をさらに備える、Ｃ２３に記載の装置。
［Ｃ２７］
共有無線周波数スペクトル帯域の１つのサブバンドにおいて前記別個にエンコードされた情報ブロックの各々を送信するための手段をさらに備える、Ｃ２４に記載の装置。
［Ｃ２８］
前記ダウンリンク・フレームは、データ・フィールドを備え、前記装置は、
前記データ・フィールドにおいて前記識別された複数の局の各々に対してデータを送信するための手段をさらに備え、ここにおいて、前記別個にエンコードされた情報ブロックおよび前記データは、共有無線周波数スペクトル帯域の同じサブバンドにおいて送信される、Ｃ２４に記載の装置。
［Ｃ２９］
前記ダウンリンク・フレームは、前記１のシグナリング・フィールドから別個にエンコードされる第２のシグナリング・フィールドをさらに備え、前記装置は、
前記第２のシグナリング・フィールドおよび前記第１のシグナリング・フィールドの前記第１のセグメントの各々において同じ遅延拡散保護メカニズムを使用するための手段をさらに備える、Ｃ２３に記載の装置。
［Ｃ３０］
前記同じ遅延拡散保護メカニズムは、時間領域反復、または周波数領域反復、またはそれらの組み合わせを備える、Ｃ２９に記載の装置。
［Ｃ３１］
前記第１のシグナリング・フィールドの前記第１のセグメントにおける遅延拡散保護メカニズムの使用を、前記ダウンリンク・フレームのレガシ・シグナリング情報において、指示するための手段をさらに備える、Ｃ２３に記載の装置。
［Ｃ３２］
前記第１のシグナリング・フィールドの１つの直交周波数分割多重（ＯＦＤＭ）シンボル内で前記別個にエンコードされた情報ブロックの各々を送信するための手段をさらに備える、Ｃ２４に記載の装置。
［Ｃ３３］
共有無線周波数スペクトル帯域の１つのサブバンドにおいて前記別個にエンコードされた情報ブロックの各々を送信するための手段をさらに備える、Ｃ３２に記載の装置。
［Ｃ３４］
別個にエンコードされた情報ブロックが送信される各サブバンドは、２０メガヘルツ（ＭＨｚ）の帯域幅を有する、Ｃ３３に記載の装置。
［Ｃ３５］
少なくとも１つのＯＦＤＭシンボルにおいて少なくとも２つの別個にエンコードされた情報ブロックを送信するための手段をさらに備える、Ｃ３３に記載の装置。
［Ｃ３６］
前記第１のシグナリング・フィールドは、第１の変調および符号化スキーム（ＭＣＳ）に関連付けされた第１のＯＦＤＭシンボルと、前記第１のＭＣＳとは異なる第２のＭＣＳに関連付けされた第２のＯＦＤＭシンボルとを備え、前記装置は、
第１の局に関する第１の別個にエンコードされた情報ブロックを前記第１のＯＦＤＭシンボルにマッピングするための手段と、
第２の局に関する第２の別個にエンコードされた情報ブロックを前記第２のＯＦＤＭシンボルにマッピングするための手段と、をさらに備える、Ｃ３２に記載の装置。
［Ｃ３７］
共有無線周波数スペクトル帯域の１つのサブバンドにおいて前記別個にエンコードされた情報ブロックの各々を送信するための手段をさらに備える、Ｃ３６に記載の装置。
［Ｃ３８］
前記第１の別個にエンコードされた情報ブロックは、第１のサブバンドにおいて送信され、前記装置は、
第３の局に関する第３の別個にエンコードされた情報ブロックを前記第１のＯＦＤＭシンボルおよび前記第１のサブバンドにマッピングするための手段をさらに備える、Ｃ３７に記載の装置。
［Ｃ３９］
前記第１のシグナリング・フィールドの前記第２のセグメントにおいて各別個にエンコードされた情報ブロックを保護するために遅延拡散保護メカニズムを使用するための手段をさらに備える、Ｃ２４に記載の装置。
［Ｃ４０］
前記遅延拡散保護メカニズムは、周波数領域反復、または延長されたガード・インターバル（ＧＩ）、またはそれらの組み合わせを備える、Ｃ３９に記載の装置。
［Ｃ４１］
局を対象とした前記第１のシグナリング・フィールドにおいて別個にエンコードされた情報ブロックを識別するために前記局によって使用される帯域幅情報を、第２のシグナリング・フィールドにおいて、シグナリングするための手段を、さらに備える、Ｃ２３に記載の装置。
［Ｃ４２］
前記識別された複数の局以外の局によって使用可能である情報を、第２のシグナリング・フィールドにおいて、送信するための手段をさらに備える、Ｃ２３に記載の装置。
［Ｃ４３］
前記別個にエンコードされた情報ブロックを復号するために前記識別された複数の局によって使用可能である情報を、前記第１のシグナリング・フィールドの前記第１のセグメントにおいて、送信するための手段をさらに備える、Ｃ２４に記載の装置。
［Ｃ４４］
前記第１のシグナリング・フィールドの前記第１のセグメント、または前記第１のシグナリング・フィールドの前記第２のセグメント、または第２のシグナリング・フィールド、またはそれらの組み合わせにおいてテール・バイティング畳み込み符号化を使用するための手段をさらに備える、Ｃ２３に記載の装置。
［Ｃ４５］
アクセス・ポイントにおけるワイヤレス通信のための装置であって、
前記アクセス・ポイントからデータを受信すべき複数の局を識別するための送信マネージャと、
前記識別された複数の局に前記データを送信するためにダウンリンク・フレームを生成するためのダウンリンク・フレーム・ジェネレータと、前記ダウンリンク・フレームは、前記識別された複数の局に向けられる第１のシグナリング・フィールドを備え、前記第１のシグナリング・フィールドは、第１のセグメントおよび第２のセグメントを備え、前記第１のセグメントは、前記識別された複数の局の各々に共通の情報を備え、前記第２のセグメントは、少なくとも１つの情報ブロックを備える、
前記識別された複数の局に前記ダウンリンク・フレームを送信するためのダウンリンク・フレーム送信機と、
を備える、装置。
［Ｃ４６］
前記ダウンリンク・フレーム・ジェネレータは、前記識別された複数の局の各々に関して各情報ブロックを別個にエンコードする、Ｃ４５に記載の装置。
［Ｃ４７］
前記シグナリング・フィールドは、ワイヤレス・ローカル・エリア・ネットワーク（ＷＬＡＮ）シグナリング・フィールドである、Ｃ４５に記載の装置。
［Ｃ４８］
前記ダウンリンク・フレーム・ジェネレータは、前記識別された複数の局の各々に共通の前記情報を複製し、前記ダウンリンク・フレーム送信機は、共有無線周波数スペクトル帯域の複数のサブバンドの各々において前記複製された情報を送信する、Ｃ４５に記載の装置。
［Ｃ４９］
前記ダウンリンク・フレーム送信機は、共有無線周波数スペクトル帯域の１つのサブバンドにおいて前記別個にエンコードされた情報ブロックの各々を送信する、Ｃ４６に記載の装置。
［Ｃ５０］
前記ダウンリンク・フレームは、データ・フィールドを備え、ここにおいて、前記ダウンリンク・フレーム送信機は、前記データ・フィールドにおいて前記識別された複数の局の各々に対してデータを送信し、ここにおいて、前記別個にエンコードされた情報ブロックおよび前記データは、共有無線周波数スペクトル帯域の同じサブバンドにおいて送信される、Ｃ４６に記載の装置。
［Ｃ５１］
前記ダウンリンク・フレーム送信機は、前記第１のシグナリング・フィールドの１つの直交周波数分割多重（ＯＦＤＭ）シンボル内で前記別個にエンコードされた情報ブロックの各々を送信する、Ｃ４６に記載の装置。
［Ｃ５２］
前記ダウンリンク・フレーム送信機は、共有無線周波数スペクトル帯域の１つのサブバンドにおいて前記別個にエンコードされた情報ブロックの各々を送信する、Ｃ５１に記載の装置。
［Ｃ５３］
前記ダウンリンク・フレーム送信機は、少なくとも１つのＯＦＤＭシンボルにおいて少なくとも２つの別個にエンコードされた情報ブロックを送信する、Ｃ５２に記載の装置。
［Ｃ５４］
前記第１のシグナリング・フィールドは、第１の変調および符号化スキーム（ＭＣＳ）に関連付けされた第１のＯＦＤＭシンボルと、前記第１のＭＣＳとは異なる第２のＭＣＳに関連付けされた第２のＯＦＤＭシンボルとを備え、ここにおいて、前記ダウンリンク・フレーム送信機は、第１の局に関する第１の別個にエンコードされた情報ブロックを前記第１のＯＦＤＭシンボルにマッピングし、第２の局に関する第２の別個にエンコードされた情報ブロックを前記第２のＯＦＤＭシンボルにマッピングする、Ｃ５１に記載の装置。
［Ｃ５５］
前記ダウンリンク・フレーム送信機は、前記識別された複数の局以外の局によって使用可能である情報を、第２のシグナリング・フィールドにおいて、送信する、Ｃ４５に記載の装置。
［Ｃ５６］
アクセス・ポイントにおいてワイヤレス通信のためのコンピュータ実行可能コードを記憶する非一時的コンピュータ可読媒体であって、前記コードは、
前記アクセス・ポイントからデータを受信すべき複数の局を識別することと、
前記識別された複数の局に前記データを送信するためにダウンリンク・フレームを生成することと、前記ダウンリンク・フレームは、前記識別された複数の局に向けられる第１のシグナリング・フィールドを備え、前記第１のシグナリング・フィールドは、第１のセグメントおよび第２のセグメントを備え、前記第１のセグメントは、前記識別された複数の局の各々に共通の情報を備え、前記第２のセグメントは、少なくとも１つの情報ブロックを備える、
前記識別された複数の局に前記ダウンリンク・フレームを送信することと、
を行うようにプロセッサによって実行可能である、非一時的なコンピュータ可読媒体。
［Ｃ５７］
前記コードは、前記識別された複数の局の各々に関して各情報ブロックを別個にエンコードすることを実行可能である、Ｃ５６に記載の非一時的なコンピュータ可読媒体。
［Ｃ５８］
前記シグナリング・フィールドは、ワイヤレス・ローカル・エリア・ネットワーク（ＷＬＡＮ）シグナリング・フィールドである、Ｃ５６に記載の非一時的なコンピュータ可読媒体。
［Ｃ５９］
局におけるワイヤレス通信のための方法であって、
共有無線周波数スペクトル帯域においてダウンリンク・フレームを受信することと、前記ダウンリンク・フレームは、少なくとも第１のシグナリング・フィールドおよび第２のシグナリング・フィールドを備え、前記第２のシグナリング・フィールドは、複数の局に共通の情報を有する第１のセグメントおよび前記複数の局の各々に関して別個にエンコードされた情報ブロックを有する第２のセグメントを備える、
前記第２のシグナリング・フィールドの前記第１のセグメントにおいて受信される情報を使用して前記局に関して別個にエンコードされた情報ブロックを復号することと、
を備える、方法。
［Ｃ６０］
前記第１および第２のシグナリング・フィールドは、ワイヤレス・ローカル・エリア・ネットワーク（ＷＬＡＮ）シグナリング・フィールドである、Ｃ５９に記載の方法。
［Ｃ６１］
前記第１のシグナリング・フィールドにおいて受信される情報を使用して前記別個にエンコードされた情報ブロックを復号することと、をさらに備える、Ｃ５９に記載の方法。
［Ｃ６２］
局におけるワイヤレス通信のための装置であって、
共有無線周波数スペクトル帯域においてダウンリンク・フレームを受信するための手段と、前記ダウンリンク・フレームは、少なくとも第１のシグナリング・フィールドおよび第２のシグナリング・フィールドを備え、前記第２のシグナリング・フィールドは、複数の局に共通の情報を有する第１のセグメントおよび前記複数の局の各々に関して別個にエンコードされた情報ブロックを有する第２のセグメントを備える、
前記第２のシグナリング・フィールドの前記第１のセグメントにおいて受信される情報を使用して前記局に関して別個にエンコードされた情報ブロックを復号するための手段と、
を備える、装置。
［Ｃ６３］
前記第１および第２のシグナリング・フィールドは、ワイヤレス・ローカル・エリア・ネットワーク（ＷＬＡＮ）シグナリング・フィールドである、Ｃ６２に記載の装置。
［Ｃ６４］
前記第１のシグナリング・フィールドにおいて受信される情報を使用して前記別個にエンコードされた情報ブロックを復号するための手段をさらに備える、Ｃ６２に記載の装置。
［Ｃ６５］
局におけるワイヤレス通信のための装置であって、
共有無線周波数スペクトル帯域においてダウンリンク・フレームを受信するためのダウンリンク・フレーム・デコーダを備え、前記ダウンリンク・フレームは、少なくとも第１のワイヤレス・ローカル・エリア・ネットワーク（ＷＬＡＮ）シグナリング・フィールドおよび第２のＷＬＡＮシグナリング・フィールドを備え、前記第１のＷＬＡＮシグナリング・フィールドおよび前記第２のＷＬＡＮシグナリング・フィールドは、別個にエンコードされ、前記第２のＷＬＡＮシグナリング・フィールドは、複数の局に共通の情報を有する第１のセグメントおよび前記複数の局の各々に関して別個にエンコードされた情報ブロックを有する第２のセグメントを備える、
ここにおいて、前記ダウンリンク・フレーム・デコーダは、前記第２のＷＬＡＮシグナリング・フィールドの前記第１のセグメントにおいて受信される情報を使用して前記局に関して別個にエンコードされた情報ブロックを復号する、
装置。
［Ｃ６６］
前記第１および第２のシグナリング・フィールドは、ワイヤレス・ローカル・エリア・ネットワーク（ＷＬＡＮ）シグナリング・フィールドである、Ｃ６５に記載の装置。
［Ｃ６７］
前記ダウンリンク・フレーム・デコーダは、前記第１のシグナリング・フィールドにおいて受信される情報を使用して前記別個にエンコードされた情報ブロックをさらに復号する、Ｃ６５に記載の装置。
［Ｃ６８］
局におけるワイヤレス通信のためのコンピュータ実行可能コードを記憶する非一時的なコンピュータ可読媒体であって、前記コードは、
共有無線周波数スペクトル帯域においてダウンリンク・フレームを受信することと、前記ダウンリンク・フレームは、少なくとも第１のシグナリング・フィールドおよび第２のシグナリング・フィールドを備え、前記第１のシグナリング・フィールドおよび前記第２のシグナリング・フィールドは、別個にエンコードされ、前記第２のシグナリング・フィールドは、複数の局に共通の情報を有する第１のセグメントおよび前記複数の局の各々に関して別個にエンコードされた情報ブロックを有する第２のセグメントを備える、
前記第２のシグナリング・フィールドの前記第１のセグメントにおいて受信される情報を使用して前記局に関して別個にエンコードされた情報ブロックを復号することと、
を行うようにプロセッサによって実行可能である、非一時的なコンピュータ可読媒体。
［Ｃ６９］
前記第１および第２のシグナリング・フィールドは、ワイヤレス・ローカル・エリア・ネットワーク（ＷＬＡＮ）シグナリング・フィールドである、Ｃ６８に記載の装置。
【図１】
0006585189.tif 000002
【図２】
0006585189.tif 000003
【図３】
0006585189.tif 000004
【図４】
0006585189.tif 000005
【図５】
0006585189.tif 000006
【図６】
0006585189.tif 000007
【図７】
0006585189.tif 000008
【図８】
0006585189.tif 000009
【図９】
0006585189.tif 000010
【図１０】
0006585189.tif 000011
【図１１】
0006585189.tif 000012
【図１２】
0006585189.tif 000013